(57)【要約】      （修正有）【課題】長方形以外の表面と裏面からなる封筒において、従来の長方形状と同様に表面と裏面の縁部輪郭線の一部を接合してなり、縁部輪郭線の一部を接合せずに便箋の封入部及び取出部（以下、開口部）として利用する封筒（「従来型の非方形封筒」という。）と便箋のレターセットにおいて、従来の開口部よりも大きくなり、封が十分でない場合便箋が封筒より落下して紛失するという懸念が有り、便箋の開口部を極力少なくしてかかる懸念がない便箋と封筒のレターセットの提供。【解決手段】レターセットにおいて、表面Ｆ１と裏面の輪郭線ＯＬの形状が閉曲線であって、表面Ｆ１と裏面とが輪郭線部ＯＬＡで接合されてなり、点Ｐ１と点Ｐ２は、表面Ｆ１の重心を通るように表面Ｆ１の表側の面の輪郭線ＯＬ近傍に位置すると共に、点Ｐ１と点Ｐ２を両端とする封筒スリットＳＬＴが表面Ｆ１を貫通するように設けてなることを特徴とするレターセット。【選択図】図１
2020019499.tif 000002
【特許請求の範囲】
【請求項１】
表面Ｆ１と裏面Ｆ２とからなり表面Ｆ１と裏面Ｆ２が合同である封筒９１と、表面Ｆ１と裏面Ｆ２に対して相似形であり、大きさが表面Ｆ１と裏面Ｆ２よりもやや小さい便箋９２とから構成されるレターセット１００において、表面Ｆ１と裏面Ｆ２の輪郭線ＯＬの形状が閉曲線であって、表面Ｆ１と裏面Ｆ２とが輪郭線部ＯＬＡで接合されてなり、点Ｐ１と点Ｐ２は、表面Ｆ１の重心Ｏを通るように表面Ｆ１の表側の面の輪郭線ＯＬ近傍に位置すると共に、点Ｐ１と点Ｐ２を両端とする封筒スリットＳＬＴが表面Ｆ１を貫通するように設けてなり、便箋９２を封筒スリットＳＬＴから封筒９１に封入することを特徴とするレターセット１００
【請求項２】
表面Ｆ１と裏面Ｆ２とが輪郭線部ＯＬＡで接合されてなるとは、表面Ｆ１と裏面Ｆ２とが輪郭線部ＯＬＡで張り合わせてなることを特徴とする請求項１に記載されたレターセット１００。
【請求項３】
輪郭線ＯＬの形状が、長方形を除く閉曲線の形状であって、円形、楕円形、菱形、長方形、三角形、五角形、六角形、八角形、ハート形、星形の形状の閉曲線であることを特徴とする請求項１〜２の何れかに記載されたレターセット１０２。
【請求項４】
輪郭線ＯＬの形状が、長方形を除く閉曲線の形状であって、キャラクター、動物、模型、飛行機、電車の図形の閉曲線であることを特徴とする請求項１〜３の何れかに記載されたレターセット１００
【請求項５】
点Ｐ１は表面Ｆ１の表側の面の輪郭線ＯＬ近傍に位置し、点Ｐ２は表面Ｆ１の重心Ｏ近傍に位置すると共に、点Ｐ１と点Ｐ２を両端とする封筒スリットＳＬＴが表面Ｆ１を貫通するように設けてなり、
一方、点Ｐ１’は便箋９１の表面の輪郭線ＯＬ’上に位置し、点Ｐ２’は便箋９２の表面の重心Ｏ’近傍に位置すると共に、点Ｐ１’と点Ｐ２’を両端とする便箋スリットＳＬＴ’が便箋９１を貫通するように設けてなり、便箋スリットＳＬＴ’の点Ｐ２側が大気に通じていることを特徴とする請求項１〜４の何れかに記載されたレターセット１００。
【請求項６】
便箋９２を封筒９１に封入した後、封筒９１の封筒スリットＳＬＴの封をするシール９３とから構成されることを特徴とする請求項１〜５の何れかに記載されたレターセット１００。
【請求項７】
封筒９１から便箋９２を開封する際に下側から指で押して便箋９２を取り出すために利用される、１又は２以上の開封スリットＳＬＴを、封筒スリットＳＬＴの下側の裏面Ｆ２の位置に裏面Ｆ２を貫通するように設けてなることを特徴とする請求項１〜６の何れかに記載されたレターセット１００。
【請求項８】
表面Ｆ１と裏面Ｆ２とからなり表面Ｆ１と裏面Ｆ２が合同である封筒９１と、表面Ｆ１と裏面Ｆ２とが相似形であり、大きさが表面Ｆ１と裏面Ｆ２よりもやや小さい便箋９２とから構成されるレターセット１００において、表面Ｆ１と裏面Ｆ２の輪郭線ＯＬの形状がハート形の形状の閉曲線であって、表面Ｆ１と裏面Ｆ２とが輪郭線部ＯＬＡで接合されてなり、
点Ｐ１は表面Ｆ１の表側面の輪郭線ＯＬ近傍に位置し、点Ｐ２は表面Ｆ１の凹み点Ｏ近傍に位置すると共に、点Ｐ１と点Ｐ２を両端とする封筒スリットＳＬＴが点Ｐ１から点Ｐ２まで輪郭線ＯＬに沿って表面Ｆ１を貫通するように設けてなり、
一方、便箋９２の表面の輪郭線ＯＬ’の形状がハート形の形状の閉曲線であり、点Ｐ２’は便箋９２の凹み点Ｏ’近傍に位置してなり、
便箋９２を封筒９１に封入するに際しては、便箋９２の点Ｐ２’を封筒９１の表面Ｆ１の点Ｐ２と交差したまま便箋９２を回転させながら、便箋９２を封筒スリットＳＬＴから封筒９１に封入することを特徴とするレターセット１００。
【請求項９】
表面Ｆ１と裏面Ｆ２とが輪郭線部ＯＬＡで接合されてなるとは、表面Ｆ１と裏面Ｆ２とが輪郭線部ＯＬＡで張り合わせてなることを特徴とする請求項８に記載されたレターセット１００。
【請求項１０】
便箋９２を封筒９１に封入した後、封筒９１の封筒スリットＳＬＴの封をするシール９３とから構成されることを特徴とする請求項８〜９の何れかに記載されたレターセット１００。
【請求項１１】
封筒９１から便箋９２を開封する際に下側から指で押して便箋９２を取り出すために利用される、１又は２以上の開封スリットＳＬＴを、封筒スリットＳＬＴの下側の裏面Ｆ２の位置に裏面Ｆ２を貫通するように設けてなることを特徴とする請求項８〜１０の何れかに記載されたレターセット１００。
【請求項１２】
表面Ｆ１と裏面Ｆ２とからなり表面Ｆ１と裏面Ｆ２が合同である封筒９１と、表面Ｆ１と裏面Ｆ２よりもやや外形がやや小さく、表面Ｆ１と裏面Ｆ２の間に収納可能である便箋９２とから構成されるレターセット１００において、表面Ｆ１と裏面Ｆ２の輪郭線ＯＬの形状が円形の形状の閉曲線であって、表面Ｆ１と裏面Ｆ２とが輪郭線部ＯＬＡで接合されてなり、
点Ｐ１は表面Ｆ１の表側の面の輪郭線ＯＬ近傍に位置し、点Ｐ２は表面Ｆ１の重心Ｏ近傍、あるいは、表面Ｆ１の重心Ｏの外側寄りに位置すると共に、点Ｐ１と点Ｐ２を両端とする封筒スリットＳＬＴが表面Ｆ１を貫通するように設けてなり、
一方、便箋９２の表面の輪郭線ＯＬ’の形状が螺旋形の形状の閉曲線であり、
便箋９２を封筒９１に封入するに際しては、便箋９２の螺旋先端部Ｐ１’を封筒スリットＳＬＴに挿入したまま便箋９２を回転させながら、便箋９２を封筒スリットＳＬＴから封筒９１に封入することを特徴とするレターセット１００。
【請求項１３】
表面Ｆ１と裏面Ｆ２とが輪郭線部ＯＬＡで接合されてなるとは、表面Ｆ１と裏面Ｆ２とが輪郭線部ＯＬＡで張り合わせてなることを特徴とする請求項１２に記載されたレターセット１００。
【請求項１４】
便箋９２を封筒９１に封入した後、封筒９１の封筒スリットＳＬＴの封をするシール９３とから構成されることを特徴とする請求項１２〜１３の何れかに記載されたレターセット１００。
【請求項１５】
封筒９１から便箋９２を開封する際に下側から指で押して便箋９２を取り出すために利用される、１又は２以上の開封スリットＳＬＴを、封筒スリットＳＬＴの下側の裏面Ｆ２の位置に裏面Ｆ２を貫通するように設けてなることを特徴とする請求項１２〜１４の何れかに記載されたレターセット１００。
【発明の詳細な説明】
【技術分野】
【０００１】
本発明は、レターセットに関する。
詳細には、本発明は、長方形以外の表面と裏面からなる封筒において、従来の長方形状封筒（従来型の方形封筒）と同様に表面と裏面の縁部輪郭線の一部を接合してなり、縁部輪郭線の一部を接合せずに便箋の封入部及び取出部（以下、開口部という。）として利用する封筒（「従来型の非方形封筒」という。）と便箋のレターセットにおいて、従来の開口部よりも大きくなり、封が十分でない場合便箋が封筒より落下して紛失するという懸念が有り、便箋の開口部を極力少なくしてかかる懸念がない便箋と封筒のレターセットに関する。
より詳細には、本発明は、従来型の非方形封筒において、便箋の封入部及び取出部（以下、開口部という。）を極力少なくすると共に、封筒の便箋封入部及び取り出し部（開口部）に便箋を素早く封入することができる便箋と封筒のレターセットに関する。
より詳細には、本発明は、従来型の非方形封筒において、フラップにより、開口部の封をする場合、多数のフラップを放射状に開口部に設ける必要が有り、封を各フラップにノリ付けをする必要が有り、封筒に便箋を素早く封入することができないという欠点があり、かかる欠点を解消した便箋と封筒のレターセットに関する。
より詳細には、本発明は、従来型の非方形封筒において、シールにより、開口部の封をする場合、多数の折り曲げたシールを開口部に設ける必要が有り、封を折り曲げた各シールの裏面にノリ付けをして封をする必要が有り、封筒に便箋を素早く封入することができないという欠点があり、かかる欠点を解消した便箋と封筒のレターセットに関する。
【背景技術】
【０００２】
本願明細書においては、前後方向（水平方向）をＸ方向、垂直上向き方向（反重力方向）をＹ方向、左右方向（水平方向）をＺ方向、とする。
なお、水平方向とは、特に断らない限り、水平面に対して平行な方向をいい、垂直上向き方向（反重力方向）に対して直交する方向をいう。垂直方向とは、特に断らない限り、水平面に対して直交する方向をいい、垂直上向き方向（反重力方向）に対して直交する方向をいう(図１、図4)。
表面Ｆ２から表面Ｆ１に向かう方向をＸ方向とし、逆により表面Ｆ１から表面Ｆ２に向かう方向を−Ｘ方向とする(図１、図4)。
表側とは、裏側よりもＸ方向に有る側をいう。裏側とは、表側よりも−Ｘ方向に有る側いう(図１、図4)。
従来型の封筒とは、長方形の表面と裏面からなる封筒（市販されている）をいう。従来型の封筒とは、具体的には、長さ寸法が幅寸法の倍数よりも長い長形と短い角形、さらに寸法の長いほうに封入口がありダイヤモンド貼り又はカマス貼りの洋形がある。長形と角形の封筒をあわせて和封筒といい、また、洋形の封筒は洋封筒ともいう。
従来型の封筒は、長方形の表面と裏面からなる封筒であることが特徴である。長方形状の封筒は、製作し易く、便箋、紙類の出し入れや封、開封がし易くて非常に合理的な形状である。
そして、従来型の封筒は、画一的な長方形の表面と裏面からなる封筒であり、面白味のあるデザイン性に欠けており、面白味のあるデザイン性を有する封筒にするためには、長方形以外の表面と裏面からなる封筒にする必要が有る。
しかしながら、長方形以外の表面と裏面からなる封筒においては、従来の長方形状と同様に表面と裏面の縁部輪郭線の一部を接合してなり、縁部輪郭線の一部を接合せずに便箋の封入部及び取出部（以下、開口部という。）として利用する封筒（「従来型の非方形封筒」という。）と便箋のレターセットにおいて、従来の開口部よりも大きくなり、封が十分でない場合便箋が封筒より落下して紛失するという懸念が有るという従来技術の欠点が指摘されていた。
そして、従来型の非方形封筒においては、フラップにより、開口部の封をする場合、多数のフラップを放射状に開口部に設ける必要が有り、封を各フラップにノリ付けをする必要が有り、封筒に便箋を素早く封入することができないという従来技術の欠点が指摘されていた。
さらに、従来型の非方形封筒において、シールにより、開口部の封をする場合、多数の折り曲げたシールを開口部に設ける必要が有り、封を折り曲げた各シールの裏面にノリ付けをして封をする必要が有り、封筒に便箋を素早く封入することができないという従来技術の欠点が指摘されていた。
【発明の開示】
【０００３】
発明者は、かかる従来技術の欠点に鑑み鋭意研究した結果、本発明（例えば、図１９（Ｃ））を完成させた。
【先行技術文献】
【特許文献】
【０００４】
本願発明に係るレターセットについて、ＦＩ、キーワード検索を行ったところ、本件発明（請求項１〜１５の何れかに記載された発明）に近い発明等記載文献は、発見されませんでしたので、特許文献の記載は省略する。
【発明の概要】
【発明が解決しようとする課題】
【０００５】
○本発明が解決しようとする第１課題
本発明が解決しようとする第１課題は、
長方形以外の表面と裏面からなる封筒（非方形封筒）において、従来の長方形状の封筒（従来型の方形封筒）と同様に表面と裏面の縁部輪郭線の一部を接合してなり、縁部輪郭線の一部を接合せずに便箋の封入部及び取出部（以下、開口部という。）として利用する封筒（「従来型の非方形封筒」という。）と便箋のレターセットにおいて、従来の開口部よりも大きくなり、封が十分でない場合便箋が封筒より落下して紛失するという懸念が有り、便箋の開口部を極力少なくしてかかる懸念がない便箋と封筒のレターセットを提供することである。
○本発明が解決しようとする第２課題
本発明が解決しようとする第２課題は、
従来型の非方形封筒において、便箋の封入部及び取出部（以下、開口部という。）を極力少なくすると共に、封筒の便箋封入部及び取り出し部（開口部）に便箋を素早く封入することができる便箋と封筒のレターセットを提供することである。
○本発明が解決しようとする第３課題
本発明が解決しようとする第３課題は、
従来型の非方形封筒において、フラップにより、開口部の封をする場合、多数のフラップを放射状に開口部に設ける必要が有り、封を各フラップにノリ付けをする必要が有り、封筒に便箋を素早く封入することができないという欠点があり、かかる欠点を解消した便箋と封筒のレターセットを提供することである。
○本発明が解決しようとする第４課題
本発明が解決しようとする第４課題は、
従来型の非方形封筒において、シールにより、開口部の封をする場合、多数の折り曲げたシールを開口部に設ける必要が有り、封を折り曲げた各シールの裏面にノリ付けをして封をする必要が有り、封筒に便箋を素早く封入することができないという欠点があり、かかる欠点を解消した便箋と封筒のレターセットを提供することである。
【課題を解決するための手段】
【０００６】
課題を解決するための手段は、本願の［特許請求の範囲］の各請求項に記載の発明である。
特許請求の範囲、明細書、図面等の用語の解釈上の疑義を解消すべく、以下用語の説明を行うこととする。
＜用語の説明＞
□従来型の封筒とは、長方形の表面と裏面からなる封筒（市販されている）をいう（図１９（Ａ））。
従来型の封筒とは、具体的には、長さ寸法が幅寸法の倍数よりも長い長形と短い角形、さらに寸法の長いほうに封入口がありダイヤモンド貼り又はカマス貼りの洋形がある。長形と角形の封筒をあわせて和封筒といい、また、洋形の封筒は洋封筒ともいう。
■従来型の非方形封筒とは、長方形以外の表面と裏面からなる封筒（非方形封筒）において、従来の長方形状の封筒（従来型の方形封筒）と同様に表面と裏面の縁部輪郭線の一部を接合してなり、縁部輪郭線の一部を接合せずに便箋の封入部及び取出部（以下、開口部という。）として利用する封筒をいう（図１９（Ｂ））。
■表面（読み：おもてめん）Ｆ１とは、封筒９１を構成する表側の面をいう。表面と裏面は相互に合同な形状をなしている。
■裏面（読み：うらめん）Ｆ２とは、封筒９１を構成する裏側の面をいう。
■輪郭線とは、物の周囲を形作っている線をいう。
本発明においては、輪郭線とは、封筒の輪郭線ＯＬ、便箋の輪郭線ＯＬ’をいう。
●レターセット１００とは、封筒９１と便箋９２の組合せをいう。あるいは、封筒９１と便箋９２とシール９３の組合せをいう。
●便箋とは、手紙を書く用紙をいう。
本発明に係る便箋９２とは、本発明に係る封筒９１よりやや小さい、本発明に係る便箋と相似である、手紙を書く用紙をいう。
あるいは、本発明に係る便箋９２とは、表面Ｆ１と裏面Ｆ２の輪郭線ＯＬよりもやや外形がやや小さく、表面Ｆ１と裏面Ｆ２の間に収納可能である、手紙を書く用紙をいう（図２１、図２２）。
ここに、収納とは、表面Ｆ１と裏面Ｆ２の輪郭線Ｏの中に、便箋９２の輪郭線ＯＬ’が含まれる関係をいう。
上記において、外形とは、便箋９２の螺旋状の輪郭線ＯＬ’の中で、外周の螺旋状の輪郭線（閉曲線にはなっていない。）をいう。
●封筒とは、便箋等を封入する袋をいう。
●従来技術の封筒とは、方形の形状をした、便箋９２等を封入する袋をいう。
●従来技術の便箋とは、方形の形状をした手紙を書く用紙をいう。便箋を、３つ折り、又は４つ折りに畳んで、封筒に封入し封をする。
●本発明に係る封筒９１とは、長方形状ではない形状をした（非方形形状の）、便箋９２等を封入する袋をいう。
●本発明に係る便箋９２とは、長方形状ではない形状をした（非方形形状の）、手紙を書く用紙をいう。便箋９２には、差出人から受取人へのメッセージが記載されている（例えば、図１９（Ｃ））。
●曲線とは、曲率が０以外の値を取る線をいう。本発明に係る曲線は、曲率が０である直線を要素としない。
●閉曲線とは、両端が一致している連続曲線をいう。すなわち、閉じている曲線をいう。本発明に係る閉曲線は、交点を有しない閉曲線をいう。
本発明に係る閉曲線は、具体的には、凸曲線から構成される閉曲線のみならず、凸曲線及び凹曲線から構成される閉曲線も含まれる。例えば、ハート形状の封筒９１や便箋９２、螺旋形状の便箋９２がある。
○表面Ｆ１とは、封筒９１を構成し輪郭線ＯＬを有する表側の面をいう。表面Ｆ１と裏面Ｆ２は合同であり、表面Ｆ１と裏面Ｆ２の輪郭線ＯＬが閉曲線であって、表面Ｆ１と裏面Ｆ２とが輪郭線部ＯＬＡで接合されてなる。
○裏面Ｆ２とは、封筒９１を構成し輪郭線ＯＬを有する裏側の面をいう。表面Ｆ１と裏面Ｆ２は合同であり、表面Ｆ１と裏面Ｆ２の輪郭線ＯＬが閉曲線であって、表面Ｆ１と裏面Ｆ２とが輪郭線部ＯＬＡで接合されてなる。
○合同とは、二つの図形が重ね合わせることのできる関係にあることをいう。
本発明において、合同とは、表面Ｆ１と裏面Ｆ２の輪郭線ＯＬが重ね合わせることのできる関係にあることをいう。
○相似とは、二つの図形が他方の図形を拡大または縮小した関係にあることをいう。
本発明において、相似とは、表面Ｆ１と裏面Ｆ２の輪郭線ＯＬと便箋９２の輪郭線ＯＬ’が相互に拡大または縮小した関係にあることをいう。
○輪郭線ＯＬとは、具体的には、表面Ｆ１の輪郭線、又は、裏面Ｆ２の輪郭線をいう。すなわち、封筒９１の輪郭線をいう。
表面Ｆ１の輪郭線、又は、裏面Ｆ２の輪郭線を、表面Ｆ１と裏面Ｆ２の輪郭線を区別することなく同じ記号、すなわち、輪郭線ＯＬで表示する。
輪郭線ＯＬとは、封筒９１の周囲を形作っている線をいう。
輪郭線ＯＬには、交点を有する閉曲線は除かれる。
○輪郭線ＯＬ’とは、具体的には、便箋９２の輪郭線をいう。
輪郭線ＯＬ’とは、便箋９２の周囲を形作っている線をいう。
輪郭線ＯＬ’には、交点を有する閉曲線は除かれる。
○輪郭線部ＯＬＡとは、表面Ｆ１の輪郭線、及び、裏面Ｆ２の輪郭線を接合する部分（例えば、のり付け等で張り合わせる部分）をいう（例えば、図１６）。
■キャラクターとは、実在または架空の人物ないしは動物をかたどったブランドのシンボルのことをいう。
■キャラクターの図形とは、キャラクターの外形の輪郭線ＯＬの形状をいう。キャラクターの図形（キャラクターの図形の輪郭線ＯＬ）は、交点を有しない閉曲線の形状で表される。
■フラップＦＬＰとは、ノリ等で封筒の封をするための“垂れぶた”をいう。
■封筒スリットＳＬＴとは、便箋９２を封筒に封入するための、あるいは、便箋９２を封筒から取り出すための封筒９１に設けられた開口部であって、表面Ｆ１を貫通するように設けてなる貫通溝をいう。
封筒スリットＳＬＴの両端点が、点Ｐ１と点Ｐ２である。
表面Ｆ１に設けてなる封筒スリットＳＬＴに対応する裏面Ｆ２には貫通溝は設けられていない。
■便箋スリットＳＬＴ’とは、便箋９２を封筒に封入するための、あるいは、便箋９２を封筒から取り出すための便箋９２に設けられた開口部であって、便箋９２を貫通するように設けてなる貫通溝をいう。
封筒スリットＳＬＴ’の両端点が、点Ｐ１’と点Ｐ２’である。
ただし、点Ｐ２’の部分において、貫通溝は大気に通じている（図２３）。
■シール９３とは、便箋９２を封筒に封入した後に、封筒スリットＳＬＴに張って封をするための素材をいう。シール９３の裏面に切手と同様ノリ等が塗ってある場合が有り、ノリ等が塗ってある場合には、シール９３の裏面にノリ等を塗って封筒スリットＳＬＴに張って封をする（例えば、図１８（４））。
■開封スリットＳＬＴとは、封筒９１から便箋９２を開封する際に下側から指で押して便箋９２を取り出すために利用される、便箋スリットＳＬＴ’の下側の裏面Ｆ２の位置に裏面Ｆ２を貫通するように設けてなる１又は２以上の貫通溝をいう（例えば、図１６）。
■重心とは、物体の各部に働く重力をただ一つの力で代表させるとき、それが作用する点をいう。
具体的には、重心Ｏとは、表面Ｆ１と裏面Ｆ２の輪郭線ＯＬ（の形状）の重心をいう。すなわち、重心Ｏとは、封筒９１の重心をいう。
具体的には、重心Ｏ’は、便箋９２の輪郭線ＯＬ’（の形状）の重心をいう。すなわち、重心Ｏ’とは、便箋９２の重心をいう。
■方形封筒とは、長方形の表面と裏面からなる封筒をいう。
■非方形封筒とは、長方形でない表面と裏面からなる封筒をいう。
例えば、輪郭線ＯＬの形状が、長方形を除く閉曲線の形状であって、円形、楕円形、菱形、長方形、三角形、五角形、六角形、八角形、ハート形、星形の形状の閉曲線、キャラクター、動物、模型、飛行機、電車の図形の閉曲線である封筒をいう。
■点Ｐ１、点Ｐ２とは、封筒スリットＳＬＴの両端点をいう。
封筒スリットＳＬＴは、点Ｐ１と点Ｐ２を結ぶ直線又は曲線の貫通溝である。
■点Ｐ１’、点Ｐ２’とは、封筒スリットＳＬＴ’の両端点をいう。
■便箋９２の螺旋先端部Ｐ１’とは、便箋９２の螺旋先端部は螺旋内側の重心近傍と螺旋外側の２つあり、その何れかをいう。
例えば、図２１では、便箋９２の螺旋先端部Ｐ１’は、螺旋外側の先端部を表している。
例えば、図２２では、便箋９２の螺旋先端部Ｐ１’は、螺旋内側の先端部を表している。
■凹み点Ｏとは、表面Ｆ１と裏面Ｆ２の輪郭線ＯＬの形状がハート形の形状の閉曲線である封筒９１において、輪郭線ＯＬの重心との距離が最短になる輪郭線ＯＬ上の点をいう（図２０）。
■凹み点Ｏ’は、表面Ｆ１と裏面Ｆ２の輪郭線ＯＬの形状がハート形の形状の閉曲線である便箋９２において、輪郭線ＯＬ’の重心との距離が最短になる輪郭線ＯＬ’上の点をいう。
そして、点Ｐ２’は便箋９２の凹み点Ｏ’と一致してなる（図２０左下図）。
□穴Ｈとは、表面Ｆ１と裏面Ｆ２とからなる封筒９１の重心Ｏ周りに空けられた穴をいう。
□ミシン目Ｍとは、切り離しやすいように、紙に入れた連続した小穴をいい、本発明においては、表面Ｆ１と裏面Ｆ２とからなる封筒９１の重心Ｏ（穴Ｈ）周りに空けられた円状の連続した小穴をいう（図１）。
便箋９２を封筒９１から取り出すに際しては、ミシン目Ｍを切り離して封筒９１の穴Ｈより穴を拡大して、指を入れて便箋９２を封筒９１から取り出しやすくすることができる。
□山折り線ＹＬとは、紙などを折る時に、折り目が外側（表側）に出るようにする折るための線をいう（図１）。
便箋９２の山折り線ＹＬを山折りすることにより、便箋９２を封筒９１に封入するに際しては、便箋９２を封筒スリットＳＬＴから封筒９１に封入することができ、
封筒の便箋封入部及び取り出し部（開口部）に便箋を素早く封入することができる便箋と封筒のレターセットを提供することができた（図１８（２））。
■甲が乙の近傍に位置する（ある）とは、甲乙の間に距離があるもののその距離が小さいことをいう。
＜穴Ｈ、ミシン目を構成要件としない発明の説明＞
本願図面において、穴Ｈ、ミシン目を構成要件とする発明を図示しているが、穴Ｈ、ミシン目を構成要件としない発明も請求項記載発明である。
穴Ｈ、ミシン目を構成要件としない発明の図は、穴Ｈ、ミシン目を構成要件とする発明を図示した図面にあって、穴Ｈ、ミシン目を削除した図とする。
ただし、封筒スリットＳＬＴの点Ｐ１と点Ｐ２を結ぶ線は、穴Ｈを削除しただけでは重心部が欠損したままであるので欠損のない実線として修正する。
＜サフィックスの説明＞
「’  」は、便箋９２であることを表す。
＜図２１、図２２における点Ｐ１、点Ｐ２、重心Ｇの位置関係＞
図２１、図２２において、点Ｐ１、点Ｐ２、重心Ｇの位置に関しては、重心Ｇを中心にし、外側に向かって点Ｐ１、点Ｐ２の順で位置する。
＜記号の説明＞
点Ｐ１：封筒スリットＳＬＴの端点（点Ｐ２に対する他方の点）をいう。
点Ｐ２：封筒スリットＳＬＴの端点（点Ｐ１に対する他方の点）をいう。
点Ｐ１’：便箋スリットＳＬＴ’の端点（点Ｐ１に対応する点）をいう。
点Ｐ２’：便箋スリットＳＬＴ’の端点（点Ｐ２に対応する点）をいう。
＜図１９における記号の説明＞
Ａ：従来の方形封筒の上辺の長さ
和封筒の場合は、Ａ＜Ｂ
Ｂ：従来の方形封筒の側辺の長さ
洋封筒の場合は、Ａ＞Ｂ
Ｄ：非方形封筒（円形状封筒）の直径
以下、図１９を参照にしながら説明する（図１９（Ａ）、（Ｂ）、（Ｃ））。
（Ａ）図における点Ｐ１、Ｐ２は、封筒の上辺の両端点
（Ａ）図における点Ｐ０は、封筒の上辺の中点
（Ａ）図における直線Ｐ１Ｐ０Ｐ２は、封筒の開口部
（Ｂ）図における点Ｐ１、Ｐ２は、封筒の縁部輪郭線（開口部）の両端点
（Ｂ）図における点Ｐ０は、封筒の縁部輪郭線（開口部）の中点
（Ｃ）図における点Ｐ１、Ｐ２は、封筒の開口部の両端点
（Ｃ）図における点Ｐ０は、封筒の開口部の中点
（Ｃ）図における直線Ｐ１Ｐ０Ｐ２は、封筒の開口部
Η：封筒の開口率（＝開口部の長さ／封筒の縁部輪郭線の長さの比）
［発明が解決しようとする課題］、［０００７］において記載の「便箋の開口部を極力少なくする」ことは、より正確には、「封筒の開口率（＝開口部の長さ／封筒の縁部輪郭線の長さの比）を極力少なくする」ことである。
ΗＡ：従来の方形封筒の開口率
ΗＡ＝Ａ／（２（Ａ＋Ｂ））＜０．５…（Ａ）式
ΗＢ：従来型の非方形封筒の開口率
ΗＢ＝（Π／２Ｄ）／（ΠＤ）＝０．５…（Ｂ）式
ΗＣ：本発明に係る非方形封筒の開口率
ΗＣ＝（Ｄ／（ΠＤ）＝１／Π＝０．３１８…（Ｃ）式
本発明が解決しようとする課題は、便箋の開口部を極力少なくすることであり、すなわち、本発明に係る非方形封筒の開口率を従来型の非方形封筒の開口率０．５より少なくすることである。
＜本発明が解決しようとする課題の発見について＞
以下、図１９を参照にしながら説明する。
図１９は、従来の方形封筒と従来型の非方形封筒と本発明に係る非方形封筒における、開口率Ηを説明するための図である。
（Ａ）図は、従来の方形封筒の開口率を示す図である。開口率Ηは、以下のように表される。
開口率ΗＡ＝Ａ／（２（Ａ＋Ｂ））＜０．５…（Ａ）式
（Ｂ）図は、従来型の非方形封筒の開口率を示す図である。
開口率ΗＢ＝（Π／２Ｄ）／（ΠＤ）＝０．５…（Ｂ）式
（Ｃ）図は、本発明に係る非方形封筒の開口率を示す図である。
開口率ΗＣ＝（Ｄ／（ΠＤ）＝１／Π＝０．３１８…（Ｂ）式
従来の方形封筒には、和封筒と洋封筒が有るが、何れの開口率ΗＡも、（Ａ）式で表されて、０．５未満である。
従来封筒の考え方（封筒の縁部輪郭線Ｐ１Ｐ０Ｐ２）の延長線上に従来型の非方形封筒を実現すると（Ｂ）図のようになる。
従来型の非方形封筒の開口率ΗＢは、（Ｂ）式で与えられ、０．５である。
ここに、従来の方形封筒の縁部輪郭線を非方形にし、開口率ΗＣを０．５未満にすることという本発明が解決しようとする課題を発見した。
（Ｃ）図は、本発明（請求項１〜１５の何れかに記載された発明）に係る非方形封筒の開口率を説明する図である。
課題を解決するための手段は、本願の特許請求の範囲の各請求項に記載の発明であり、その具体的な解決手段は、以下の通りである。
○第１の発明（請求項１に記載の発明）
上記の課題を解決するための第１の発明（請求項１に記載の発明）は、
表面Ｆ１と裏面Ｆ２とからなり表面Ｆ１と裏面Ｆ２が合同である封筒９１と、表面Ｆ１と裏面Ｆ２に対して相似形であり、大きさが表面Ｆ１と裏面Ｆ２よりもやや小さい便箋９２とから構成されるレターセット１００において、表面Ｆ１と裏面Ｆ２の輪郭線ＯＬの形状が閉曲線であって、表面Ｆ１と裏面Ｆ２とが輪郭線部ＯＬＡで接合されてなり、点Ｐ１と点Ｐ２は、表面Ｆ１の重心Ｏを通るように表面Ｆ１の表側の面の輪郭線ＯＬ近傍に位置すると共に、点Ｐ１と点Ｐ２を両端とする封筒スリットＳＬＴが表面Ｆ１を貫通するように設けてなり、便箋９２を封筒スリットＳＬＴから封筒９１に封入することを特徴とするレターセット１００である。
○第２の発明（請求項２に記載の発明）
上記の課題を解決するための第２の発明（請求項２に記載の発明）は、
表面Ｆ１と裏面Ｆ２とが輪郭線部ＯＬＡで接合されてなるとは、表面Ｆ１と裏面Ｆ２とが輪郭線部ＯＬＡで張り合わせてなることを特徴とする請求項１に記載されたレターセット１００である。
○第３の発明（請求項３に記載の発明）
上記の課題を解決するための第３の発明（請求項３に記載の発明）は、
輪郭線ＯＬの形状が、長方形を除く閉曲線の形状であって、円形、楕円形、菱形、長方形、三角形、五角形、六角形、八角形、ハート形、星形の形状の閉曲線であることを特徴とする請求項１〜２の何れかに記載されたレターセット１００である。
○第４の発明（請求項４に記載の発明）
上記の課題を解決するための第４の発明（請求項４に記載の発明）は、
輪郭線ＯＬの形状が、長方形を除く閉曲線の形状であって、キャラクター、動物、模型、飛行機、電車の図形の閉曲線であることを特徴とする請求項１〜３の何れかに記載されたレターセット１００である。
○第５の発明（請求項５に記載の発明）
上記の課題を解決するための第５の発明（請求項５に記載の発明）は、
点Ｐ１は表面Ｆ１の表側の面の輪郭線ＯＬ近傍に位置し、点Ｐ２は表面Ｆ１の重心Ｏ近傍に位置すると共に、点Ｐ１と点Ｐ２を両端とする封筒スリットＳＬＴが表面Ｆ１を貫通するように設けてなり、
一方、点Ｐ１’は便箋９１の表面の輪郭線ＯＬ’上に位置し、点Ｐ２’は便箋９２の表面の重心Ｏ’近傍に位置すると共に、点Ｐ１’と点Ｐ２’を両端とする便箋スリットＳＬＴ’が便箋９１を貫通するように設けてなると共に便箋スリットＳＬＴ’の点Ｐ２側が大気に通じていることを特徴とする請求項１〜４の何れかに記載されたレターセット１００である。
○第６の発明（請求項６に記載の発明）
上記の課題を解決するための第６の発明（請求項６に記載の発明）は、
便箋９２を封筒９１に封入した後、封筒９１の封筒スリットＳＬＴの封をするシール９３とから構成されることを特徴とする請求項１〜５の何れかに記載されたレターセット１００である。
○第７の発明（請求項７に記載の発明）
上記の課題を解決するための第７の発明（請求項７に記載の発明）は、
封筒９１から便箋９２を開封する際に下側から指で押して便箋９２を取り出すために利用される、１又は２以上の開封スリットＳＬＴを、封筒スリットＳＬＴの下側の裏面Ｆ２の位置に裏面Ｆ２を貫通するように設けてなることを特徴とする請求項１〜６の何れかに記載されたレターセット１００である。
○第８の発明（請求項８に記載の発明）
上記の課題を解決するための第８の発明（請求項８に記載の発明）は、
表面Ｆ１と裏面Ｆ２とからなり表面Ｆ１と裏面Ｆ２が合同である封筒９１と、表面Ｆ１と裏面Ｆ２とが相似形であり、大きさが表面Ｆ１と裏面Ｆ２よりもやや小さい便箋９２とから構成されるレターセット１００において、表面Ｆ１と裏面Ｆ２の輪郭線ＯＬの形状がハート形の形状の閉曲線であって、表面Ｆ１と裏面Ｆ２とが輪郭線部ＯＬＡで接合されてなり、
点Ｐ１は表面Ｆ１の表側面の輪郭線ＯＬ近傍に位置し、点Ｐ２は表面Ｆ１の凹み点Ｏ近傍に位置すると共に、点Ｐ１と点Ｐ２を両端とする封筒スリットＳＬＴが点Ｐ１から点Ｐ２まで輪郭線ＯＬに沿って表面Ｆ１を貫通するように設けてなり、
一方、便箋９２の表面の輪郭線ＯＬ’の形状がハート形の形状の閉曲線であり、点Ｐ２’は便箋９２の凹み点Ｏ’近傍に位置してなり、
便箋９２を封筒９１に封入するに際しては、便箋９２の点Ｐ２’を封筒９１の表面Ｆ１の点Ｐ２と交差したまま便箋９２を回転させながら、便箋９２を封筒スリットＳＬＴから封筒９１に封入することを特徴とするレターセット１００である。
○第９の発明（請求項９に記載の発明）
上記の課題を解決するための第９の発明（請求項９に記載の発明）は、
表面Ｆ１と裏面Ｆ２とが輪郭線部ＯＬＡで接合されてなるとは、表面Ｆ１と裏面Ｆ２とが輪郭線部ＯＬＡで張り合わせてなることを特徴とする請求項８に記載されたレターセット１００である。
○第１０の発明（請求項１０に記載の発明）
上記の課題を解決するための第１０の発明（請求項１０に記載の発明）は、
便箋９２を封筒９１に封入した後、封筒９１の封筒スリットＳＬＴの封をするシール９３とから構成されることを特徴とする請求項８〜９の何れかに記載されたレターセット１００である。
○第１１の発明（請求項１１に記載の発明）
上記の課題を解決するための第１１の発明（請求項１１に記載の発明）は、
封筒９１から便箋９２を開封する際に下側から指で押して便箋９２を取り出すために利用される、１又は２以上の開封スリットＳＬＴを、封筒スリットＳＬＴの下側の裏面Ｆ２の位置に裏面Ｆ２を貫通するように設けてなることを特徴とする請求項８〜１０の何れかに記載されたレターセット１００である。
○第１２の発明（請求項１２に記載の発明）
上記の課題を解決するための第１２の発明（請求項１２に記載の発明）は、
表面Ｆ１と裏面Ｆ２とからなり表面Ｆ１と裏面Ｆ２が合同である封筒９１と、表面Ｆ１と裏面Ｆ２よりもやや外形がやや小さく、表面Ｆ１と裏面Ｆ２の間に収納可能である便箋９２とから構成されるレターセット１００において、表面Ｆ１と裏面Ｆ２の輪郭線ＯＬの形状が円形の形状の閉曲線であって、表面Ｆ１と裏面Ｆ２とが輪郭線部ＯＬＡで接合されてなり、
点Ｐ１は表面Ｆ１の表側の面の輪郭線ＯＬ近傍に位置し、点Ｐ２は表面Ｆ１の重心Ｏ近傍、あるいは、表面Ｆ１の重心Ｏの外側寄りに位置すると共に、点Ｐ１と点Ｐ２を両端とする封筒スリットＳＬＴが表面Ｆ１を貫通するように設けてなり、
一方、便箋９２の表面の輪郭線ＯＬ’の形状が螺旋形の形状の閉曲線であり、
便箋９２を封筒９１に封入するに際しては、便箋９２の螺旋先端部Ｐ１’を封筒スリットＳＬＴに挿入したまま便箋９２を回転させながら、便箋９２を封筒スリットＳＬＴから封筒９１に封入することを特徴とするレターセット１００である。
○第１３の発明（請求項１３に記載の発明）
上記の課題を解決するための第１３の発明（請求項１３に記載の発明）は、
表面Ｆ１と裏面Ｆ２とが輪郭線部ＯＬＡで接合されてなるとは、表面Ｆ１と裏面Ｆ２とが輪郭線部ＯＬＡで張り合わせてなることを特徴とする請求項１２に記載されたレターセット１００である。
○第１４の発明（請求項１４に記載の発明）
上記の課題を解決するための第１４の発明（請求項１４に記載の発明）は、
便箋９２を封筒９１に封入した後、封筒９１の封筒スリットＳＬＴの封をするシール９３とから構成されることを特徴とする請求項１２〜１３の何れかに記載されたレターセット１００である。
○第１５の発明（請求項１５に記載の発明）
上記の課題を解決するための第１５の発明（請求項１５に記載の発明）は、
封筒９１から便箋９２を開封する際に下側から指で押して便箋９２を取り出すために利用される、１又は２以上の開封スリットＳＬＴを、封筒スリットＳＬＴの下側の裏面Ｆ２の位置に裏面Ｆ２を貫通するように設けてなることを特徴とする請求項１２〜１４の何れかに記載されたレターセット１００である。
【発明の効果】
【０００７】
本発明に係るレターセット１００は、上記のような特徴的構成要件から構成され、特徴的構成要件に応じた、以下のような本願発明特有の効果を奏する。
また、上記の各発明に応じた、上記のような特徴的構成要件から構成されたレターセット１００によれば、本願発明の課題を十分解消することができた。
○第１の発明の効果
第１の発明によれば、
表面Ｆ１と裏面Ｆ２とからなり表面Ｆ１と裏面Ｆ２が合同である封筒９１と、表面Ｆ１と裏面Ｆ２に対して相似形であり、大きさが表面Ｆ１と裏面Ｆ２よりもやや小さい便箋９２とから構成されるレターセット１００において、表面Ｆ１と裏面Ｆ２の輪郭線ＯＬの形状が閉曲線であって、表面Ｆ１と裏面Ｆ２とが輪郭線部ＯＬＡで接合されてなり、点Ｐ１と点Ｐ２は、表面Ｆ１の重心Ｏを通るように表面Ｆ１の表側の面の輪郭線ＯＬ近傍に位置すると共に、点Ｐ１と点Ｐ２を両端とする封筒スリットＳＬＴが表面Ｆ１を貫通するように設けてなり、便箋９２を封筒スリットＳＬＴから封筒９１に封入することという特徴的な構成要件により、本発明が解決しようとする第１課題〜第４課題を達成することができ、当業者予測不可能な顕著な効果を奏することができた。
○第２の発明の効果
第２の発明によれば、
表面Ｆ１と裏面Ｆ２とが輪郭線部ＯＬＡで接合されてなるとは、表面Ｆ１と裏面Ｆ２とが輪郭線部ＯＬＡで張り合わせてなることという特徴的な構成要件により、本発明が解決しようとする第１課題〜第４課題を達成することができ、当業者予測不可能な顕著な効果を奏することができた。
○第３の発明の効果
第３の発明によれば、
輪郭線ＯＬの形状が、長方形を除く閉曲線の形状であって、円形、楕円形、菱形、長方形、三角形、五角形、六角形、八角形、ハート形、星形の形状の閉曲線であることという特徴的な構成要件により、本発明が解決しようとする第１課題〜第４課題を達成することができ、当業者予測不可能な顕著な効果を奏することができた。
○第４の発明の効果
第４の発明によれば、
輪郭線ＯＬの形状が、長方形を除く閉曲線の形状であって、キャラクター、動物、模型、飛行機、電車の図形の閉曲線であることという特徴的な構成要件により、本発明が解決しようとする第１課題〜第４課題を達成することができ、当業者予測不可能な顕著な効果を奏することができた。
○第５の発明の効果
第５の発明によれば、
点Ｐ１は表面Ｆ１の表側の面の輪郭線ＯＬ近傍に位置し、点Ｐ２は表面Ｆ１の重心Ｏ近傍に位置すると共に、点Ｐ１と点Ｐ２を両端とする封筒スリットＳＬＴが表面Ｆ１を貫通するように設けてなり、
一方、点Ｐ１’は便箋９１の表面の輪郭線ＯＬ’上に位置し、点Ｐ２’は便箋９２の表面の重心Ｏ’近傍に位置すると共に、点Ｐ１’と点Ｐ２’を両端とする便箋スリットＳＬＴ’が便箋９１を貫通するように設けてなると共にせん便箋スリットＳＬＴ’の点Ｐ２側が大気に通じていることという特徴的な構成要件により、本発明が解決しようとする第１課題〜第４課題を達成することができ、当業者予測不可能な顕著な効果を奏することができた。
○第６の発明の効果
第６の発明によれば、
便箋９２を封筒９１に封入した後、封筒９１の封筒スリットＳＬＴの封をするシール９３とから構成されることという特徴的な構成要件により、本発明が解決しようとする第１課題〜第４課題を達成することができ、当業者予測不可能な顕著な効果を奏することができた。
○第７の発明の効果
第７の発明によれば、
封筒９１から便箋９２を開封する際に下側から指で押して便箋９２を取り出すために利用される、１又は２以上の開封スリットＳＬＴを、封筒スリットＳＬＴの下側の裏面Ｆ２の位置に裏面Ｆ２を貫通するように設けてなることという特徴的な構成要件により、本発明が解決しようとする第１課題〜第４課題を達成することができ、当業者予測不可能な顕著な効果を奏することができた。
○第８の発明の効果
第８の発明によれば、
表面Ｆ１と裏面Ｆ２とからなり表面Ｆ１と裏面Ｆ２が合同である封筒９１と、表面Ｆ１と裏面Ｆ２とが相似形であり、大きさが表面Ｆ１と裏面Ｆ２よりもやや小さい便箋９２とから構成されるレターセット１００において、表面Ｆ１と裏面Ｆ２の輪郭線ＯＬの形状がハート形の形状の閉曲線であって、表面Ｆ１と裏面Ｆ２とが輪郭線部ＯＬＡで接合されてなり、
点Ｐ１は表面Ｆ１の表側面の輪郭線ＯＬ近傍に位置し、点Ｐ２は表面Ｆ１の凹み点Ｏ近傍に位置すると共に、点Ｐ１と点Ｐ２を両端とする封筒スリットＳＬＴが点Ｐ１から点Ｐ２まで輪郭線ＯＬに沿って表面Ｆ１を貫通するように設けてなり、
一方、便箋９２の表面の輪郭線ＯＬ’の形状がハート形の形状の閉曲線であり、点Ｐ２’は便箋９２の凹み点Ｏ’近傍に位置してなり、
便箋９２を封筒９１に封入するに際しては、便箋９２の点Ｐ２’を封筒９１の表面Ｆ１の点Ｐ２と交差したまま便箋９２を回転させながら、便箋９２を封筒スリットＳＬＴから封筒９１に封入することという特徴的な構成要件により、本発明が解決しようとする第１課題〜第４課題を達成することができ、当業者予測不可能な顕著な効果を奏することができた。
○第９の発明の効果
第９の発明によれば、
表面Ｆ１と裏面Ｆ２とが輪郭線部ＯＬＡで接合されてなるとは、表面Ｆ１と裏面Ｆ２とが輪郭線部ＯＬＡで張り合わせてなることという特徴的な構成要件により、本発明が解決しようとする第１課題〜第４課題を達成することができ、当業者予測不可能な顕著な効果を奏することができた。
○第１０の発明の効果
第１０の発明によれば、
便箋９２を封筒９１に封入した後、封筒９１の封筒スリットＳＬＴの封をするシール９３とから構成されることという特徴的な構成要件により、本発明が解決しようとする第１課題〜第４課題を達成することができ、当業者予測不可能な顕著な効果を奏することができた。
○第１１の発明の効果
第１１の発明によれば、
封筒９１から便箋９２を開封する際に下側から指で押して便箋９２を取り出すために利用される、１又は２以上の開封スリットＳＬＴを、封筒スリットＳＬＴの下側の裏面Ｆ２の位置に裏面Ｆ２を貫通するように設けてなることという特徴的な構成要件により、本発明が解決しようとする第１課題〜第４課題を達成することができ、当業者予測不可能な顕著な効果を奏することができた。
○第１２の発明の効果
第１２の発明によれば、
表面Ｆ１と裏面Ｆ２とからなり表面Ｆ１と裏面Ｆ２が合同である封筒９１と、表面Ｆ１と裏面Ｆ２よりもやや外形がやや小さく、表面Ｆ１と裏面Ｆ２の間に収納可能である便箋９２とから構成されるレターセット１００において、表面Ｆ１と裏面Ｆ２の輪郭線ＯＬの形状が円形の形状の閉曲線であって、表面Ｆ１と裏面Ｆ２とが輪郭線部ＯＬＡで接合されてなり、
点Ｐ１は表面Ｆ１の表側の面の輪郭線ＯＬ近傍に位置し、点Ｐ２は表面Ｆ１の重心Ｏ近傍、あるいは、表面Ｆ１の重心Ｏの外側寄りに位置すると共に、点Ｐ１と点Ｐ２を両端とする封筒スリットＳＬＴが表面Ｆ１を貫通するように設けてなり、
一方、便箋９２の表面の輪郭線ＯＬ’の形状が螺旋形の形状の閉曲線であり、
便箋９２を封筒９１に封入するに際しては、便箋９２の螺旋先端部Ｐ１’を封筒スリットＳＬＴに挿入したまま便箋９２を回転させながら、便箋９２を封筒スリットＳＬＴから封筒９１に封入することという特徴的な構成要件により、本発明が解決しようとする第１課題〜第４課題を達成することができ、当業者予測不可能な顕著な効果を奏することができた。
○第１３の発明の効果
第１３の発明によれば、
表面Ｆ１と裏面Ｆ２とが輪郭線部ＯＬＡで接合されてなるとは、表面Ｆ１と裏面Ｆ２とが輪郭線部ＯＬＡで張り合わせてなることという特徴的な構成要件により、本発明が解決しようとする第１課題〜第４課題を達成することができ、当業者予測不可能な顕著な効果を奏することができた。
○第１４の発明の効果
第１４の発明によれば、
便箋９２を封筒９１に封入した後、封筒９１の封筒スリットＳＬＴの封をするシール９３とから構成されることという特徴的な構成要件により、本発明が解決しようとする第１課題〜第４課題を達成することができ、当業者予測不可能な顕著な効果を奏することができた。
○第１５の発明の効果
第１５の発明によれば、
便箋９２を封筒９１に封入した後、封筒９１の封筒スリットＳＬＴの封をするシール９３とから構成されることという特徴的な構成要件により、本発明が解決しようとする第１課題〜第４課題を達成することができ、当業者予測不可能な顕著な効果を奏することができた。
【発明を実施するための最良の形態】
【０００８】
以下、本発明に係る、レターセット１００に関する最良の実施形態について、図面を参照しながら説明する。
図１〜図７、図１８は、本発明に係る、輪郭線ＯＬの形状が円形の閉曲線であるレターセット１００（単に、「円形のレターセット」ともいう。）を表した図面である。
図８〜図１４は、本発明に係る、輪郭線ＯＬの形状が円形の閉曲線であるレターセット（請求項５に記載のレターセットを表す。単に、「請求項５に記載のレターセット」ともいう。）を表した図面である。
図１５〜図１６は、本発明に係る、輪郭線ＯＬの形状がキャラクター（ミッキーマウス）の図形の閉曲線であるレターセットを表した図面である。
図１７は、輪郭線ＯＬの形状がキャラクター（熊）の図形の閉曲線であるレターセット、ハート形の図形の閉曲線を表した図面である。
各図については、以下の通り説明する。
［図１］図１は、本発明に係る円形のレターセットを表した平面図である。
［図２］図２は、本発明に係る円形のレターセットを表した底面図である。
［図３］図３は、本発明に係る円形のレターセットを表した左側面図である。本発明に係る円形のレターセットを表した右側面図は、発明に係る円形のレターセットを表した左側面図と対称に表れるので省略する。
［図４］図４は、本発明に係る円形のレターセットを表した正面図である。本発明に係る円形のレターセットを表した背面図は、発明に係る円形のレターセットを表した正面図と対称に表れるので省略する。
［図５］図５は、本発明に係る円形のレターセットを表した斜視図である。
［図６］図６の上図は、本発明に係る円形のレターセットの封筒９１を表した平面図である。図６の下図は、本発明に係る円形のレターセットの便箋９２を表した平面図である。矢印は、便箋９２を封筒に挿入する方向を表す。山折り線で便箋９２を山折りして、封筒スリットＳＬＴから紙面視便箋の上端を挿入する。
［図７］図７は、本発明に係る円形のレターセットにおいて、便箋９２を封筒９１に挿入し終えた後に、シール９３により封をした状態を表した平面図である。
［図８］図８は、請求項５に記載のレターセットを表した平面図である。
［図９］図９は、請求項５に記載のレターセットを表した底面図である。
［図１０］図１０は、請求項５に記載のレターセットを表した左側面図である。請求項５に記載のレターセットを表した右側面図は、請求項５に記載のレターセットを表した左側面図と対称に表れるので省略する。
［図１１］図１１は、請求項５に記載のレターセットを表した正面図である。請求項５に記載のレターセットを表した背面図は、請求項５に記載のレターセットと対称に表れるので省略する。
［図１２］図１２は、請求項５に記載のレターセットを表した斜視図である。
［図１３］図１３の左上図は、請求項５に記載のレターセットの封筒９１を表した平面図である。図１３の左下図は、本請求項５に記載のレターセットの便箋９２を表した平面図である。矢印は、便箋９２を封筒に挿入する方向を表す。便箋９２の便箋スリットＳＬＴ’を封筒９１の封筒スリットＳＬＴに近づけて重ねる。そして、紙面視便箋スリットＳＬＴ’の下側の便箋部分を回転させながら、封筒９１に挿入する。紙面視便箋スリットＳＬＴ’の下側の便箋部分を回転させながら、封筒９１に完全に挿入し終えるまで続ける。
図１３の右上図は、紙面視便箋スリットＳＬＴ’の下側の便箋部分を１３５°程度回転させて、封筒９１に挿入した状態を示す図である。
［図１４］図１４は、請求項５に記載のレターセットにおいて、便箋９２を封筒９１に挿入し終えた後に、シール９３により封をした状態を表した平面図である。
［図１５］図１５の上図は、本発明に係る、輪郭線ＯＬの形状がキャラクター（ミッキーマウス）の図形の閉曲線であるレターセットの封筒９１を表した平面図である。図１５の下図は、本発明に係る、輪郭線ＯＬの形状がキャラクター（ミッキーマウス）の図形の閉曲線であるレターセットの便箋９２を表した平面図である。矢印は、便箋９２を封筒に挿入する方向を表す。山折り線で便箋９２を山折りして、封筒スリットＳＬＴから紙面視便箋の上端を挿入する。
［図１６］図１６は、本発明に係る、輪郭線ＯＬの形状がキャラクター（ミッキーマウス）の図形の閉曲線であるレターセットを表した台紙の平面図である。
台紙の表面Ｆ１と裏面Ｆ２を張り合わせて封筒９１を作製する。
［図１７］図１７は、輪郭線ＯＬの形状がキャラクター（熊）の図形の閉曲線であるレターセット、ハート形の図形の閉曲線を表した平面図である。
［図１８］図１８は、本発明に係る、輪郭線ＯＬの形状が円形の閉曲線であるレターセット１００の作業フローを表す図である。（１）図は、便箋９２にメッセージを書く作業フローを表す図である。（２）図は、封筒９１の封筒スリットＳＬＴで山折りする作業フローを表す図である。（３）図は、便箋９２を山折り線ＹＬで折り曲げて封筒に挿入する作業フローを表す図である。（４）図は、便箋９２を封筒に挿入し終えた後にシール９３を貼る作業フローを表す図である。（５）図は、便箋９２を封筒から取り出す作業フローを表す図である（封筒９１を曲げながら紙面視下から指で米印（開封ＳＬＴ）を押す。）。
［図１９］図１９は、従来の方形封筒と従来型の非方形封筒と本発明に係る非方形封筒における、開口率Ηを説明するための図である。
（Ａ）図は、従来の方形封筒の開口率を示す図である。開口率Ηは、以下のように表される。
開口率ΗＡ＝Ａ／（２（Ａ＋Ｂ））＜０．５…（Ａ）式
（Ｂ）図は、従来型の非方形封筒の開口率を示す図である。
開口率ΗＢ＝（Π／２Ｄ）／（ΠＤ）＝０．５…（Ｂ）式
（Ｃ）図は、本発明に係る非方形封筒の開口率を示す図である。
開口率ΗＣ＝（Ｄ／（ΠＤ）＝１／Π＝０．３１８…（Ｂ）式
［図２０］図２０の左上図は、請求項８〜１２の何れかに記載のレターセットの封筒９１を表した平面図である。図２０の左下図は、請求項８〜１２の何れかに記載のレターセットの便箋９２を表した平面図である。便箋９２の点Ｐ１’を封筒９１の表面Ｆ１の点Ｐ１に近づけて重ねる。そして、紙面視左上の便箋部分を回転させながら、封筒９１の封筒スリットＳＬＴに挿入する。紙面視封筒スリットＳＬＴの中側に挿入した便箋部分を回転させながら、封筒９１に完全に挿入し終えるまで続ける。
図２０の右上図は、紙面視左上の便箋部分を回転させて封筒９１に挿入した途中の状態を示す図である。
［図２１］図２１の左上図は、請求項１２〜１５の何れかに記載のレターセットの封筒９１を表した平面図である。図２１の左下図は、本請求項１２〜１５の何れかに記載のレターセットの便箋９２を表した平面図である。便箋９２の螺旋形状の先端部（外側の先端部、又は内側中心部の先端部、図２１では外側の先端部を表示している。）を、封筒９１の表面Ｆ１の封筒スリットＳＬＴに近づけて挿入する。そして、紙面視左の便箋部分を左回りに回転させながら、封筒９１の封筒スリットＳＬＴに挿入する。紙面視封筒スリットＳＬＴから挿入された左回りに便箋部分を回転させながら、封筒９１に完全に挿入し終えるまで続ける。
図２１の右上図は、紙面視左上の螺旋形状の便箋部分を回転させて封筒９１に挿入した途中の状態を示す図である。
［図２２］図２２の左上図は、請求項１２〜１５の何れかに記載のレターセットの封筒９１（別態様）を表した平面図である。図２２の左下図は、本請求項１２〜１５の何れかに記載のレターセットの便箋９２（別態様）を表した平面図である。便箋９２の螺旋形状の先端部（外側の先端部、又は内側中心部の先端部、図２２では内側の先端部を表示している。）を、封筒９１の表面Ｆ１の封筒スリットＳＬＴに近づけて挿入する。そして、紙面視左の便箋部分を左回りに回転させながら、封筒９１の封筒スリットＳＬＴに挿入する。紙面視封筒スリットＳＬＴから挿入された左回りに便箋部分を回転させながら、封筒９１に完全に挿入し終えるまで続ける。
図２２の右上図は、紙面視左上の螺旋形状の便箋部分を回転させて封筒９１に挿入した途中の状態を示す図である。
［図２３］図２３の（Ａ）図は、図１３図の左下図の点Ｐ１’部分の拡大平面図である。（Ａ）図は、便箋スリットＳＬＴ’の点Ｐ１側が大気に通じていることを示している。
図２３の（Ｂ）図は、図２３の（Ａ）図のＡＡ矢視断面図を表している。（Ｂ）図は、封筒スリットＳＬＴが表面Ｆ１を貫通するように設けてなることを示している。
以下、本発明に係るレターセット１００について、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のレターセット１００において、
表面Ｆ１と裏面Ｆ２とからなり表面Ｆ１と裏面Ｆ２が合同である封筒９１と、表面Ｆ１と裏面Ｆ２に対して相似形であり、大きさが表面Ｆ１と裏面Ｆ２よりもやや小さい便箋９２とから構成されるレターセット１００において、表面Ｆ１と裏面Ｆ２の輪郭線ＯＬの形状が閉曲線であって、表面Ｆ１と裏面Ｆ２とが輪郭線部ＯＬＡで接合されてなり、点Ｐ１と点Ｐ２は、表面Ｆ１の重心Ｏを通るように表面Ｆ１の表側の面の輪郭線ＯＬ近傍に位置すると共に、点Ｐ１と点Ｐ２を両端とする封筒スリットＳＬＴが表面Ｆ１を貫通するように設けてなり、便箋９２を封筒スリットＳＬＴから封筒９１に封入することを特徴とするレターセット１００が開示されている。
○第１の発明の効果
第１の発明によれば、
表面Ｆ１と裏面Ｆ２とからなり表面Ｆ１と裏面Ｆ２が合同である封筒９１と、表面Ｆ１と裏面Ｆ２に対して相似形であり、大きさが表面Ｆ１と裏面Ｆ２よりもやや小さい便箋９２とから構成されるレターセット１００において、表面Ｆ１と裏面Ｆ２の輪郭線ＯＬの形状が閉曲線であって、表面Ｆ１と裏面Ｆ２とが輪郭線部ＯＬＡで接合されてなり、点Ｐ１と点Ｐ２は、表面Ｆ１の重心Ｏを通るように表面Ｆ１の表側の面の輪郭線ＯＬ近傍に位置すると共に、点Ｐ１と点Ｐ２を両端とする封筒スリットＳＬＴが表面Ｆ１を貫通するように設けてなり、便箋９２を封筒スリットＳＬＴから封筒９１に封入することという特徴的な構成要件により、本発明が解決しようとする第１課題〜第４課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のレターセット１００において、
表面Ｆ１と裏面Ｆ２とが輪郭線部ＯＬＡで接合されてなるとは、表面Ｆ１と裏面Ｆ２とが輪郭線部ＯＬＡで張り合わせてなることを特徴とする請求項１に記載されたレターセット１００が開示されている。
○第２の発明の効果
第２の発明によれば、
表面Ｆ１と裏面Ｆ２とが輪郭線部ＯＬＡで接合されてなるとは、表面Ｆ１と裏面Ｆ２とが輪郭線部ＯＬＡで張り合わせてなることという特徴的な構成要件により、本発明が解決しようとする第１課題〜第４課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のレターセット１００において、
輪郭線ＯＬの形状が、長方形を除く閉曲線の形状であって、円形、楕円形、菱形、長方形、三角形、五角形、六角形、八角形、ハート形、星形の形状の閉曲線であることを特徴とする請求項１〜２の何れかに記載されたレターセット１００が開示されている。
○第３の発明の効果
第３の発明によれば、
輪郭線ＯＬの形状が、長方形を除く閉曲線の形状であって、円形、楕円形、菱形、長方形、三角形、五角形、六角形、八角形、ハート形、星形の形状の閉曲線であることという特徴的な構成要件により、本発明が解決しようとする第１課題〜第４課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のレターセット１００において、
輪郭線ＯＬの形状が、長方形を除く閉曲線の形状であって、キャラクター、動物、模型、飛行機、電車の図形の閉曲線であることを特徴とする請求項１〜３の何れかに記載されたレターセット１００が開示されている。
○第４の発明の効果
第４の発明によれば、
輪郭線ＯＬの形状が、長方形を除く閉曲線の形状であって、キャラクター、動物、模型、飛行機、電車の図形の閉曲線であることという特徴的な構成要件により、本発明が解決しようとする第１課題〜第４課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のレターセット１００において、
点Ｐ１は表面Ｆ１の表側の面の輪郭線ＯＬ近傍に位置し、点Ｐ２は表面Ｆ１の重心Ｏ近傍に位置すると共に、点Ｐ１と点Ｐ２を両端とする封筒スリットＳＬＴが表面Ｆ１を貫通するように設けてなり、
一方、点Ｐ１’は便箋９１の表面の輪郭線ＯＬ’上に位置し、点Ｐ２’は便箋９２の表面の重心Ｏ’近傍に位置すると共に、点Ｐ１’と点Ｐ２’を両端とする便箋スリットＳＬＴ’が便箋９１を貫通するように設けてなると共にせん便箋スリットＳＬＴ’の点Ｐ２側が大気に通じていることを特徴とする請求項１〜４の何れかに記載されたレターセット１００が開示されている。
○第５の発明の効果
第５の発明によれば、
点Ｐ１は表面Ｆ１の表側の面の輪郭線ＯＬ近傍に位置し、点Ｐ２は表面Ｆ１の重心Ｏ近傍に位置すると共に、点Ｐ１と点Ｐ２を両端とする封筒スリットＳＬＴが表面Ｆ１を貫通するように設けてなり、
一方、点Ｐ１’は便箋９１の表面の輪郭線ＯＬ’上に位置し、点Ｐ２’は便箋９２の表面の重心Ｏ’近傍に位置すると共に、点Ｐ１’と点Ｐ２’を両端とする便箋スリットＳＬＴ’が便箋９１を貫通するように設けてなると共にせん便箋スリットＳＬＴ’の点Ｐ２側が大気に通じていることという特徴的な構成要件により、本発明が解決しようとする第１課題〜第４課題を達成することができ、当業者予測不可能な顕著な効果を奏することができた。
６６６６６＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のレターセット１００において、
便箋９２を封筒９１に封入した後、封筒９１の封筒スリットＳＬＴの封をするシール９３とから構成されることを特徴とする請求項１〜５の何れかに記載されたレターセット１００が開示されている。
○第６の発明の効果
第６の発明によれば、
便箋９２を封筒９１に封入した後、封筒９１の封筒スリットＳＬＴの封をするシール９３とから構成されることという特徴的な構成要件により、本発明が解決しようとする第１課題〜第４課題を達成することができ、当業者予測不可能な顕著な効果を奏することができた。
７７７７７＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のレターセット１００において、
封筒９１から便箋９２を開封する際に下側から指で押して便箋９２を取り出すために利用される、１又は２以上の開封スリットＳＬＴを、封筒スリットＳＬＴの下側の裏面Ｆ２の位置に裏面Ｆ２を貫通するように設けてなることを特徴とする請求項１〜６の何れかに記載されたレターセット１００が開示されている。
○第７の発明の効果
第７の発明によれば、
封筒９１から便箋９２を開封する際に下側から指で押して便箋９２を取り出すために利用される、１又は２以上の開封スリットＳＬＴを、封筒スリットＳＬＴの下側の裏面Ｆ２の位置に裏面Ｆ２を貫通するように設けてなることという特徴的な構成要件により、本発明が解決しようとする第１課題〜第４課題を達成することができ、当業者予測不可能な顕著な効果を奏することができた。
８８８８８＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のレターセット１００において、
表面Ｆ１と裏面Ｆ２とからなり表面Ｆ１と裏面Ｆ２が合同である封筒９１と、表面Ｆ１と裏面Ｆ２とが相似形であり、大きさが表面Ｆ１と裏面Ｆ２よりもやや小さい便箋９２とから構成されるレターセット１００において、表面Ｆ１と裏面Ｆ２の輪郭線ＯＬの形状がハート形の形状の閉曲線であって、表面Ｆ１と裏面Ｆ２とが輪郭線部ＯＬＡで接合されてなり、
点Ｐ１は表面Ｆ１の表側面の輪郭線ＯＬ近傍に位置し、点Ｐ２は表面Ｆ１の凹み点Ｏ近傍に位置すると共に、点Ｐ１と点Ｐ２を両端とする封筒スリットＳＬＴが点Ｐ１から点Ｐ２まで輪郭線ＯＬに沿って表面Ｆ１を貫通するように設けてなり、
一方、便箋９２の表面の輪郭線ＯＬ’の形状がハート形の形状の閉曲線であり、点Ｐ２’は便箋９２の凹み点Ｏ’近傍に位置してなり、
便箋９２を封筒９１に封入するに際しては、便箋９２の点Ｐ２’を封筒９１の表面Ｆ１の点Ｐ２と交差したまま便箋９２を回転させながら、便箋９２を封筒スリットＳＬＴから封筒９１に封入することを特徴とするレターセット１００が開示されている。
○第８の発明の効果
第８の発明によれば、
表面Ｆ１と裏面Ｆ２とからなり表面Ｆ１と裏面Ｆ２が合同である封筒９１と、表面Ｆ１と裏面Ｆ２とが相似形であり、大きさが表面Ｆ１と裏面Ｆ２よりもやや小さい便箋９２とから構成されるレターセット１００において、表面Ｆ１と裏面Ｆ２の輪郭線ＯＬの形状がハート形の形状の閉曲線であって、表面Ｆ１と裏面Ｆ２とが輪郭線部ＯＬＡで接合されてなり、
点Ｐ１は表面Ｆ１の表側面の輪郭線ＯＬ近傍に位置し、点Ｐ２は表面Ｆ１の凹み点Ｏ近傍に位置すると共に、点Ｐ１と点Ｐ２を両端とする封筒スリットＳＬＴが点Ｐ１から点Ｐ２まで輪郭線ＯＬに沿って表面Ｆ１を貫通するように設けてなり、
一方、便箋９２の表面の輪郭線ＯＬ’の形状がハート形の形状の閉曲線であり、点Ｐ２’は便箋９２の凹み点Ｏ’近傍に位置してなり、
便箋９２を封筒９１に封入するに際しては、便箋９２の点Ｐ２’を封筒９１の表面Ｆ１の点Ｐ２と交差したまま便箋９２を回転させながら、便箋９２を封筒スリットＳＬＴから封筒９１に封入することという特徴的な構成要件により、本発明が解決しようとする第１課題〜第４課題を達成することができ、当業者予測不可能な顕著な効果を奏することができた。
９９９９９＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のレターセット１００において、
表面Ｆ１と裏面Ｆ２とが輪郭線部ＯＬＡで接合されてなるとは、表面Ｆ１と裏面Ｆ２とが輪郭線部ＯＬＡで張り合わせてなることを特徴とする請求項８に記載されたレターセット１００が開示されている。
○第９の発明の効果
第９の発明によれば、
表面Ｆ１と裏面Ｆ２とが輪郭線部ＯＬＡで接合されてなるとは、表面Ｆ１と裏面Ｆ２とが輪郭線部ＯＬＡで張り合わせてなることという特徴的な構成要件により、本発明が解決しようとする第１課題〜第４課題を達成することができ、当業者予測不可能な顕著な効果を奏することができた。
１０１０１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のレターセット１００において、
便箋９２を封筒９１に封入した後、封筒９１の封筒スリットＳＬＴの封をするシール９３とから構成されることを特徴とする請求項８〜９の何れかに記載されたレターセット１００が開示されている。
○第１０の発明の効果
第１０の発明によれば、
便箋９２を封筒９１に封入した後、封筒９１の封筒スリットＳＬＴの封をするシール９３とから構成されることという特徴的な構成要件により、本発明が解決しようとする第１課題〜第４課題を達成することができ、当業者予測不可能な顕著な効果を奏することができた。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のレターセット１００において、
封筒９１から便箋９２を開封する際に下側から指で押して便箋９２を取り出すために利用される、１又は２以上の開封スリットＳＬＴを、封筒スリットＳＬＴの下側の裏面Ｆ２の位置に裏面Ｆ２を貫通するように設けてなることを特徴とする請求項８〜１０の何れかに記載されたレターセット１００が開示されている。
○第１１の発明の効果
第１１の発明によれば、
封筒９１から便箋９２を開封する際に下側から指で押して便箋９２を取り出すために利用される、１又は２以上の開封スリットＳＬＴを、封筒スリットＳＬＴの下側の裏面Ｆ２の位置に裏面Ｆ２を貫通するように設けてなることという特徴的な構成要件により、本発明が解決しようとする第１課題〜第４課題を達成することができ、当業者予測不可能な顕著な効果を奏することができた。
１２１２１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のレターセット１００において、
表面Ｆ１と裏面Ｆ２とからなり表面Ｆ１と裏面Ｆ２が合同である封筒９１と、表面Ｆ１と裏面Ｆ２よりもやや外形がやや小さく、表面Ｆ１と裏面Ｆ２の間に収納可能である便箋９２とから構成されるレターセット１００において、表面Ｆ１と裏面Ｆ２の輪郭線ＯＬの形状が円形の形状の閉曲線であって、表面Ｆ１と裏面Ｆ２とが輪郭線部ＯＬＡで接合されてなり、
点Ｐ１は表面Ｆ１の表側の面の輪郭線ＯＬ近傍に位置し、点Ｐ２は表面Ｆ１の重心Ｏ近傍、あるいは、表面Ｆ１の重心Ｏの外側寄りに位置すると共に、点Ｐ１と点Ｐ２を両端とする封筒スリットＳＬＴが表面Ｆ１を貫通するように設けてなり、
一方、便箋９２の表面の輪郭線ＯＬ’の形状が螺旋形の形状の閉曲線であり、
便箋９２を封筒９１に封入するに際しては、便箋９２の螺旋先端部Ｐ１’を封筒スリットＳＬＴに挿入したまま便箋９２を回転させながら、便箋９２を封筒スリットＳＬＴから封筒９１に封入することを特徴とするレターセット１００が開示されている。
○第１２の発明の効果
第１２の発明によれば、
表面Ｆ１と裏面Ｆ２とからなり表面Ｆ１と裏面Ｆ２が合同である封筒９１と、表面Ｆ１と裏面Ｆ２よりもやや外形がやや小さく、表面Ｆ１と裏面Ｆ２の間に収納可能である便箋９２とから構成されるレターセット１００において、表面Ｆ１と裏面Ｆ２の輪郭線ＯＬの形状が円形の形状の閉曲線であって、表面Ｆ１と裏面Ｆ２とが輪郭線部ＯＬＡで接合されてなり、
点Ｐ１は表面Ｆ１の表側の面の輪郭線ＯＬ近傍に位置し、点Ｐ２は表面Ｆ１の重心Ｏ近傍、あるいは、表面Ｆ１の重心Ｏの外側寄りに位置すると共に、点Ｐ１と点Ｐ２を両端とする封筒スリットＳＬＴが表面Ｆ１を貫通するように設けてなり、
一方、便箋９２の表面の輪郭線ＯＬ’の形状が螺旋形の形状の閉曲線であり、
便箋９２を封筒９１に封入するに際しては、便箋９２の螺旋先端部Ｐ１’を封筒スリットＳＬＴに挿入したまま便箋９２を回転させながら、便箋９２を封筒スリットＳＬＴから封筒９１に封入することという特徴的な構成要件により、本発明が解決しようとする第１課題〜第４課題を達成することができ、当業者予測不可能な顕著な効果を奏することができた。
１３１３１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のレターセット１００において、
表面Ｆ１と裏面Ｆ２とが輪郭線部ＯＬＡで接合されてなるとは、表面Ｆ１と裏面Ｆ２とが輪郭線部ＯＬＡで張り合わせてなることを特徴とする請求項１２に記載されたレターセット１００が開示されている。
○第１３の発明の効果
第１３の発明によれば、
表面Ｆ１と裏面Ｆ２とが輪郭線部ＯＬＡで接合されてなるとは、表面Ｆ１と裏面Ｆ２とが輪郭線部ＯＬＡで張り合わせてなることという特徴的な構成要件により、本発明が解決しようとする第１課題〜第４課題を達成することができ、当業者予測不可能な顕著な効果を奏することができた。
１４１４１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のレターセット１００において、
便箋９２を封筒９１に封入した後、封筒９１の封筒スリットＳＬＴの封をするシール９３とから構成されることを特徴とする請求項１２〜１３の何れかに記載されたレターセット１００が開示されている。
○第１４の発明の効果
第１４の発明によれば、
便箋９２を封筒９１に封入した後、封筒９１の封筒スリットＳＬＴの封をするシール９３とから構成されることという特徴的な構成要件により、本発明が解決しようとする第１課題〜第４課題を達成することができ、当業者予測不可能な顕著な効果を奏することができた。
１５１５１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のレターセット１００において、
封筒９１から便箋９２を開封する際に下側から指で押して便箋９２を取り出すために利用される、１又は２以上の開封スリットＳＬＴを、封筒スリットＳＬＴの下側の裏面Ｆ２の位置に裏面Ｆ２を貫通するように設けてなることを特徴とする請求項１２〜１４の何れかに記載されたレターセット１００が開示されている。
○第１５の発明の効果
第１５の発明によれば、
封筒９１から便箋９２を開封する際に下側から指で押して便箋９２を取り出すために利用される、１又は２以上の開封スリットＳＬＴを、封筒スリットＳＬＴの下側の裏面Ｆ２の位置に裏面Ｆ２を貫通するように設けてなることという特徴的な構成要件により、本発明が解決しようとする第１課題〜第４課題を達成することができ、当業者予測不可能な顕著な効果を奏することができた。
【図面の簡単な説明】
【０００９】
図１〜図７、図１８は、本発明に係る、輪郭線ＯＬの形状が円形の閉曲線であるレターセット１００（単に、「円形のレターセット」ともいう。）を表した図面である。
図８〜図１４は、本発明に係る、輪郭線ＯＬの形状が円形の閉曲線であるレターセット（請求項５に記載のレターセットを表す。単に、「請求項５に記載のレターセット」ともいう。）を表した図面である。
図１５〜図１６は、本発明に係る、輪郭線ＯＬの形状がキャラクター（ミッキーマウス）の図形の閉曲線であるレターセットを表した図面である。
図１７は、輪郭線ＯＬの形状がキャラクター（熊）の図形、ハート形の図形、星形の図形の閉曲線であるレターセットを表した図面である。
各図については、以下の通り説明する。
【図１】図１は、本発明に係る円形のレターセットを表した平面図である。
【図２】図２は、本発明に係る円形のレターセットを表した底面図である。
【図３】図３は、本発明に係る円形のレターセットを表した左側面図である。本発明に係る円形のレターセットを表した右側面図は、発明に係る円形のレターセットを表した左側面図と対称に表れるので省略する。
【図４】図４は、本発明に係る円形のレターセットを表した正面図である。本発明に係る円形のレターセットを表した背面図は、発明に係る円形のレターセットを表した正面図と対称に表れるので省略する。
【図５】図５は、本発明に係る円形のレターセットを表した斜視図である。
【図６】図６の上図は、本発明に係る円形のレターセットの封筒９１を表した平面図である。図６の下図は、本発明に係る円形のレターセットの便箋９２を表した平面図である。矢印は、便箋９２を封筒に挿入する方向を表す。山折り線で便箋９２を山折りして、封筒スリットＳＬＴから紙面視便箋の上端を挿入する。
【図７】図７は、本発明に係る円形のレターセットにおいて、便箋９２を封筒９１に挿入し終えた後に、シール９３により封をした状態を表した平面図である。
【図８】図８は、請求項５に記載のレターセットを表した平面図である。
【図９】図９は、請求項５に記載のレターセットを表した底面図である。
【図１０】図１０は、請求項５に記載のレターセットを表した左側面図である。請求項５に記載のレターセットを表した右側面図は、請求項５に記載のレターセットを表した左側面図と対称に表れるので省略する。
【図１１】図１１は、請求項５に記載のレターセットを表した正面図である。請求項５に記載のレターセットを表した背面図は、請求項５に記載のレターセットと対称に表れるので省略する。
【図１２】図１２は、請求項５に記載のレターセットを表した斜視図である。
【図１３】図１３の左上図は、請求項５に記載のレターセットの封筒９１を表した平面図である。図１３の左下図は、本請求項５に記載のレターセットの便箋９２を表した平面図である。矢印は、便箋９２を封筒に挿入する方向を表す。便箋９２の便箋スリットＳＬＴ’を封筒９１の封筒スリットＳＬＴに近づけて重ねる。そして、紙面視便箋スリットＳＬＴ’の下側の便箋部分を回転させながら、封筒９１に挿入する。紙面視便箋スリットＳＬＴ’の下側の便箋部分を回転させながら、封筒９１に完全に挿入し終えるまで続ける。図１３の右上図は、紙面視便箋スリットＳＬＴ’の下側の便箋部分を１３５°程度回転させて、封筒９１に挿入した状態を示す図である。
【図１４】図１４は、請求項５に記載のレターセットにおいて、便箋９２を封筒９１に挿入し終えた後に、シール９３により封をした状態を表した平面図である。
【図１５】図１５の上図は、本発明に係る、輪郭線ＯＬの形状がキャラクター（ミッキーマウス）の図形の閉曲線であるレターセットの封筒９１を表した平面図である。図１５の下図は、本発明に係る、輪郭線ＯＬの形状がキャラクター（ミッキーマウス）の図形の閉曲線であるレターセットの便箋９２を表した平面図である。矢印は、便箋９２を封筒に挿入する方向を表す。山折り線で便箋９２を山折りして、封筒スリットＳＬＴから紙面視便箋の上端を挿入する。
【図１６】図１６は、本発明に係る、輪郭線ＯＬの形状がキャラクター（ミッキーマウス）の図形の閉曲線であるレターセットを表した台紙の平面図である。台紙の表面Ｆ１と裏面Ｆ２を張り合わせて封筒９１を作製する。
【図１７】図１７は、輪郭線ＯＬの形状がキャラクター（熊）の図形の閉曲線であるレターセット、ハート形の図形の閉曲線を表した平面図である。
【図１８】図１８は、本発明に係る、輪郭線ＯＬの形状が円形の閉曲線であるレターセット１００の作業フローを表す図である。（１）図は、便箋９２にメッセージを書く作業フローを表す図である。（２）図は、封筒９1の封筒スリットＳＬＴで山折りする作業フローを表す図である。（３）図は、便箋９２を山折り線YLで折り曲げて封筒に挿入する作業フローを表す図である。（４）図は、便箋９２を封筒に挿入し終えた後にシール９３を貼る作業フローを表す図である。（５）図は、便箋９２を封筒から取り出す作業フローを表す図である（封筒９１を曲げながら紙面視下から指で米印（開封ＳＬＴ）を押す。）。
【図１９】図１９は、従来の方形封筒と従来型の非方形封筒と本発明に係る非方形封筒における、開口率Ηを説明するための図である。（Ａ）図は、従来の方形封筒の開口率を示す図である。開口率Ηは、以下のように表される。開口率ΗＡ＝Ａ／（２（Ａ＋Ｂ））＜０．５…（Ａ）式（Ｂ）図は、従来型の非方形封筒の開口率を示す図である。開口率ΗＢ＝（Π／２Ｄ）／（ΠＤ）＝０．５…（Ｂ）式（Ｃ）図は、本発明に係る非方形封筒の開口率を示す図である。開口率ΗＣ＝（Ｄ／（ΠＤ）＝１／Π＝０．３１８…（Ｂ）式
【図２０】図２０の左上図は、請求項８〜１２の何れかに記載のレターセットの封筒９１を表した平面図である。図２０の左下図は、請求項８〜１２の何れかに記載のレターセットの便箋９２を表した平面図である。便箋９２の点Ｐ１’を封筒９１の表面Ｆ１の点Ｐ１に近づけて重ねる。そして、紙面視左上の便箋部分を回転させながら、封筒９１の封筒スリットＳＬＴに挿入する。紙面視封筒スリットＳＬＴの中側に挿入した便箋部分を回転させながら、封筒９１に完全に挿入し終えるまで続ける。図２０の右上図は、紙面視左上の便箋部分を回転させて封筒９１に挿入した途中の状態を示す図である。
【図２１】図２１の左上図は、請求項１２〜１５の何れかに記載のレターセットの封筒９１を表した平面図である。図２１の左下図は、本請求項１２〜１５の何れかに記載のレターセットの便箋９２を表した平面図である。便箋９２の螺旋形状の先端部（外側の先端部、又は内側中心部の先端部、図２１では外側の先端部を表示している。）を、封筒９１の表面Ｆ１の封筒スリットＳＬＴに近づけて挿入する。そして、紙面視左の便箋部分を左回りに回転させながら、封筒９１の封筒スリットＳＬＴに挿入する。紙面視封筒スリットＳＬＴから挿入された左回りに便箋部分を回転させながら、封筒９１に完全に挿入し終えるまで続ける。図２１の右上図は、紙面視左上の螺旋形状の便箋部分を回転させて封筒９１に挿入した途中の状態を示す図である。
【図２２】図２２の左上図は、請求項１２〜１５の何れかに記載のレターセットの封筒９１（別態様）を表した平面図である。図２２の左下図は、本請求項１２〜１５の何れかに記載のレターセットの便箋９２（別態様）を表した平面図である。便箋９２の螺旋形状の先端部（外側の先端部、又は内側中心部の先端部、図２２では内側の先端部を表示している。）を、封筒９１の表面Ｆ１の封筒スリットＳＬＴに近づけて挿入する。そして、紙面視左の便箋部分を左回りに回転させながら、封筒９１の封筒スリットＳＬＴに挿入する。紙面視封筒スリットＳＬＴから挿入された左回りに便箋部分を回転させながら、封筒９１に完全に挿入し終えるまで続ける。図２２の右上図は、紙面視左上の螺旋形状の便箋部分を回転させて封筒９１に挿入した途中の状態を示す図である。
【図２３】図２３の（Ａ）図は、図１３図の左下図の点Ｐ１’部分の拡大平面図である。（Ａ）図は、便箋スリットＳＬＴ’の点Ｐ１側が大気に通じていることを示している。図２３の（Ｂ）図は、図２３の（Ａ）図のＡＡ矢視断面図を表している。（Ｂ）図は、封筒スリットＳＬＴが表面Ｆ１を貫通するように設けてなることを示している。
【符号の説明】
【００１０】
Ｆ１……表面（読み：おもてめん）
Ｆ２……裏面（読み：うらめん）
９１……封筒
１００……レターセット
ＯＬ……輪郭線
ＯＬＡ……輪郭線部
Ｐ１……点Ｐ１
Ｏ……重心
Ｏ……凹み点（請求項８〜１１の何れかに記載の発明）
Ｐ２……点Ｐ２
Ｐ１’……点Ｐ１’
Ｏ’……重心Ｏ’
Ｐ２’……点Ｐ２’
９２……便箋
ＯＬ’……輪郭線
ＳＬＴ’……便箋スリット
９３……シール
ＳＬＴ……開封スリット
Ｈ……穴
Ｍ……ミシン目
ＹＬ……山折り線
【図１】
2020019499.tif 000003
【図２】
2020019499.tif 000004
【図３】
2020019499.tif 000005
【図４】
2020019499.tif 000006
【図５】
2020019499.tif 000007
【図６】
2020019499.tif 000008
【図７】
2020019499.tif 000009
【図８】
2020019499.tif 000010
【図９】
2020019499.tif 000011
【図１０】
2020019499.tif 000012
【図１１】
2020019499.tif 000013
【図１２】
2020019499.tif 000014
【図１３】
2020019499.tif 000015
【図１４】
2020019499.tif 000016
【図１５】
2020019499.tif 000017
【図１６】
2020019499.tif 000018
【図１７】
2020019499.tif 000019
【図１８】
2020019499.tif 000020
【図１９】
2020019499.tif 000021
【図２０】
2020019499.tif 000022
【図２１】
2020019499.tif 000023
【図２２】
2020019499.tif 000024
【図２３】
2020019499.tif 000025
【手続補正書】
【提出日】平成31年2月8日(2019.2.8)
【手続補正１】
【補正対象書類名】特許請求の範囲
【補正対象項目名】全文
【補正方法】変更
【補正の内容】
【特許請求の範囲】
【請求項１】
表面Ｆ１と裏面Ｆ２とからなり表面Ｆ１と裏面Ｆ２が合同である封筒９１と、表面Ｆ１と裏面Ｆ２に対して相似形であり、大きさが表面Ｆ１と裏面Ｆ２よりもやや小さい便箋９２とから構成されるレターセット１００において、表面Ｆ１と裏面Ｆ２の輪郭線ＯＬの形状が閉曲線であって、表面Ｆ１と裏面Ｆ２とが輪郭線部ＯＬＡで接合されてなり、
点Ｐ１は表面Ｆ１の表側の面の輪郭線ＯＬ近傍に位置し、点Ｐ２は表面Ｆ１の重心Ｏ近傍に位置すると共に、点Ｐ１と点Ｐ２を両端とする封筒スリットＳＬＴが表面Ｆ１を貫通するように設けてなり、
一方、点Ｐ１’は便箋９２の表面の輪郭線ＯＬ’上に位置し、点Ｐ２’は便箋９２の表面の重心Ｏ’近傍に位置すると共に、点Ｐ１’と点Ｐ２’を両端とする便箋スリットＳＬＴ’が便箋９２を貫通するように設けてなり、便箋スリットＳＬＴ’の点Ｐ２’側が大気に通じており、便箋９２を封筒スリットＳＬＴから封筒９１に封入することを特徴とするレターセット１００
【請求項２】
表面Ｆ１と裏面Ｆ２とが輪郭線部ＯＬＡで接合されてなるとは、表面Ｆ１と裏面Ｆ２とが輪郭線部ＯＬＡで張り合わせてなることを特徴とする請求項１に記載されたレターセット１００。
【請求項３】
便箋９２を封筒９１に封入した後、封筒９１の封筒スリットＳＬＴの封をするシール９３とから構成されることを特徴とする請求項１〜２の何れかに記載されたレターセット１００。
【請求項４】
封筒９１から便箋９２を開封する際に裏面Ｆ２の下側から指で押して便箋９２を取り出すために利用される、１又は２以上の開封スリットｓｌｔを、封筒スリットＳＬＴの下側の裏面Ｆ２の位置に裏面Ｆ２を貫通するように設けてなることを特徴とする請求項１〜３の何れかに記載されたレターセット１００。
【請求項５】
表面Ｆ１と裏面Ｆ２とからなり表面Ｆ１と裏面Ｆ２が合同である封筒９１と、表面Ｆ１と裏面Ｆ２とが相似形であり、大きさが表面Ｆ１と裏面Ｆ２よりもやや小さい便箋９２とから構成されるレターセット１００において、表面Ｆ１と裏面Ｆ２の輪郭線ＯＬの形状がハート形の形状の閉曲線であって、表面Ｆ１と裏面Ｆ２とが輪郭線部ＯＬＡで接合されてなり、
点Ｐ１は表面Ｆ１の表側面の輪郭線ＯＬ近傍に位置し、点Ｐ２は表面Ｆ１の凹み点Ｏ近傍に位置すると共に、点Ｐ１と点Ｐ２を両端とする封筒スリットＳＬＴが点Ｐ１から点Ｐ２まで輪郭線ＯＬに沿って表面Ｆ１を貫通するように設けてなり、
一方、便箋９２の表面の輪郭線ＯＬ’の形状がハート形の形状の閉曲線であり、点Ｐ２’は便箋９２の凹み点Ｏ’近傍に位置してなり、
便箋９２を封筒９１に封入するに際しては、便箋９２の点Ｐ２’を封筒９１の表面Ｆ１の点Ｐ２と交差したまま便箋９２を回転させながら、便箋９２を封筒スリットＳＬＴから封筒９１に封入することを特徴とするレターセット１００。
【請求項６】
表面Ｆ１と裏面Ｆ２とが輪郭線部ＯＬＡで接合されてなるとは、表面Ｆ１と裏面Ｆ２とが輪郭線部ＯＬＡで張り合わせてなることを特徴とする請求項５に記載されたレターセット１００。
【請求項７】
便箋９２を封筒９１に封入した後、封筒９１の封筒スリットＳＬＴの封をするシール９３とから構成されることを特徴とする請求項５〜６の何れかに記載されたレターセット１００。
【請求項８】
封筒９１から便箋９２を開封する際に裏面Ｆ２の下側から指で押して便箋９２を取り出すために利用される、１又は２以上の開封スリットｓｌｔを、封筒スリットＳＬＴの下側の裏面Ｆ２の位置に裏面Ｆ２を貫通するように設けてなることを特徴とする請求項５〜７の何れかに記載されたレターセット１００。
【請求項９】
表面Ｆ１と裏面Ｆ２とからなり表面Ｆ１と裏面Ｆ２が合同である封筒９１と、表面Ｆ１と裏面Ｆ２よりもやや外形がやや小さく、表面Ｆ１と裏面Ｆ２の間に収納可能である便箋９２とから構成されるレターセット１００において、表面Ｆ１と裏面Ｆ２の輪郭線ＯＬの形状が円形の形状の閉曲線であって、表面Ｆ１と裏面Ｆ２とが輪郭線部ＯＬＡで接合されてなり、
点Ｐ１は表面Ｆ１の表側の面の輪郭線ＯＬ近傍に位置し、点Ｐ２は表面Ｆ１の重心Ｏ近傍、あるいは、表面Ｆ１の重心Ｏの外側寄りに位置すると共に、点Ｐ１と点Ｐ２を両端とする封筒スリットＳＬＴが表面Ｆ１を貫通するように設けてなり、
一方、便箋９２の表面の輪郭線ＯＬ’の形状が螺旋形の形状の閉曲線であり、
便箋９２を封筒９１に封入するに際しては、便箋９２の螺旋先端部Ｐ１’を封筒スリットＳＬＴに挿入したまま便箋９２を回転させながら、便箋９２を封筒スリットＳＬＴから封筒９１に封入することを特徴とするレターセット１００。
【請求項１０】
表面Ｆ１と裏面Ｆ２とが輪郭線部ＯＬＡで接合されてなるとは、表面Ｆ１と裏面Ｆ２とが輪郭線部ＯＬＡで張り合わせてなることを特徴とする請求項９に記載されたレターセット１００。
【請求項１１】
便箋９２を封筒９１に封入した後、封筒９１の封筒スリットＳＬＴの封をするシール９３とから構成されることを特徴とする請求項９〜１０の何れかに記載されたレターセット１００。
【請求項１２】
封筒９１から便箋９２を開封する際に裏面Ｆ２の下側から指で押して便箋９２を取り出すために利用される、１又は２以上の開封スリットｓｌｔを、封筒スリットＳＬＴの下側の裏面Ｆ２の位置に裏面Ｆ２を貫通するように設けてなることを特徴とする請求項９〜１１の何れかに記載されたレターセット１００。
【手続補正２】
【補正対象書類名】明細書
【補正対象項目名】全文
【補正方法】変更
【補正の内容】
【発明の詳細な説明】
【技術分野】
【０００１】
本発明は、レターセットに関する。
詳細には、本発明は、長方形以外の表面と裏面からなる封筒において、従来の長方形状封筒（従来型の方形封筒）と同様に表面と裏面の縁部輪郭線の一部を接合してなり、縁部輪郭線の一部を接合せずに便箋の封入部及び取出部（以下、開口部という。）として利用する封筒（「従来型の非方形封筒」という。）と便箋のレターセットにおいて、従来の開口部よりも大きくなり、封が十分でない場合便箋が封筒より落下して紛失するという懸念が有り、便箋の開口部を極力少なくしてかかる懸念がない便箋と封筒のレターセットに関する。
より詳細には、本発明は、従来型の非方形封筒において、便箋の封入部及び取出部（以下、開口部という。）を極力少なくすると共に、封筒の便箋封入部及び取り出し部（開口部）に便箋を素早く封入することができる便箋と封筒のレターセットに関する。
より詳細には、本発明は、従来型の非方形封筒において、フラップにより、開口部の封をする場合、多数のフラップを放射状に開口部に設ける必要が有り、封を各フラップにノリ付けをする必要が有り、封筒に便箋を素早く封入することができないという欠点があり、かかる欠点を解消した便箋と封筒のレターセットに関する。
より詳細には、本発明は、従来型の非方形封筒において、シールにより、開口部の封をする場合、多数の折り曲げたシールを開口部に設ける必要が有り、封を折り曲げた各シールの裏面にノリ付けをして封をする必要が有り、封筒に便箋を素早く封入することができないという欠点があり、かかる欠点を解消した便箋と封筒のレターセットに関する。
【背景技術】
【０００２】
本願明細書においては、前後方向（水平方向）をＸ方向、垂直上向き方向（反重力方向）をＹ方向、左右方向（水平方向）をＺ方向、とする。
なお、水平方向とは、特に断らない限り、水平面に対して平行な方向をいい、垂直上向き方向（反重力方向）に対して直交する方向をいう。垂直方向とは、特に断らない限り、水平面に対して直交する方向をいい、垂直上向き方向（反重力方向）に対して直交する方向をいう（図１、図４）。
表面Ｆ２から表面Ｆ１に向かう方向をＸ方向とし、逆により表面Ｆ１から表面Ｆ２に向かう方向を−Ｘ方向とする（図１、図４）。
表側とは、裏側よりもＸ方向に有る側をいう。裏側とは、表側よりも−Ｘ方向に有る側いう（図１、図４）。
従来型の封筒とは、長方形の表面と裏面からなる封筒（市販されている）をいう。従来型の封筒とは、具体的には、長さ寸法が幅寸法の倍数よりも長い長形と短い角形、さらに寸法の長いほうに封入口がありダイヤモンド貼り又はカマス貼りの洋形がある。長形と角形の封筒をあわせて和封筒といい、また、洋形の封筒は洋封筒ともいう。
従来型の封筒は、長方形の表面と裏面からなる封筒であることが特徴である。長方形状の封筒は、製作し易く、便箋、紙類の出し入れや封、開封がし易くて非常に合理的な形状である。
そして、従来型の封筒は、画一的な長方形の表面と裏面からなる封筒であり、面白味のあるデザイン性に欠けており、面白味のあるデザイン性を有する封筒にするためには、長方形以外の表面と裏面からなる封筒にする必要が有る。
しかしながら、長方形以外の表面と裏面からなる封筒においては、従来の長方形状と同様に表面と裏面の縁部輪郭線の一部を接合してなり、縁部輪郭線の一部を接合せずに便箋の封入部及び取出部（以下、開口部という。）として利用する封筒（「従来型の非方形封筒」という。）と便箋のレターセットにおいて、従来の開口部よりも大きくなり、封が十分でない場合便箋が封筒より落下して紛失するという懸念が有るという従来技術の欠点が指摘されていた。
そして、従来型の非方形封筒においては、フラップにより、開口部の封をする場合、多数のフラップを放射状に開口部に設ける必要が有り、封を各フラップにノリ付けをする必要が有り、封筒に便箋を素早く封入することができないという従来技術の欠点が指摘されていた。
さらに、従来型の非方形封筒において、シールにより、開口部の封をする場合、多数の折り曲げたシールを開口部に設ける必要が有り、封を折り曲げた各シールの裏面にノリ付けをして封をする必要が有り、封筒に便箋を素早く封入することができないという従来技術の欠点が指摘されていた。
【発明の開示】
【０００３】
発明者は、かかる従来技術の欠点に鑑み鋭意研究した結果、本発明（例えば、図１９（Ｃ））を完成させた。
【先行技術文献】
【特許文献】
【０００４】
本願発明に係るレターセットについて、ＦＩ、キーワード検索を行ったところ、本件発明（請求項１〜１５の何れかに記載された発明）に近い発明等記載文献は、発見されませんでしたので、特許文献の記載は省略する。
【発明の概要】
【発明が解決しようとする課題】
【０００５】
○本発明が解決しようとする第１課題
本発明が解決しようとする第１課題は、
長方形以外の表面と裏面からなる封筒（非方形封筒）において、従来の長方形状の封筒（従来型の方形封筒）と同様に表面と裏面の縁部輪郭線の一部を接合してなり、縁部輪郭線の一部を接合せずに便箋の封入部及び取出部（以下、開口部という。）として利用する封筒（「従来型の非方形封筒」という。）と便箋のレターセットにおいて、従来の開口部よりも大きくなり、封が十分でない場合便箋が封筒より落下して紛失するという懸念が有り、便箋の開口部を極力少なくしてかかる懸念がない便箋と封筒のレターセットを提供することである。
○本発明が解決しようとする第２課題
本発明が解決しようとする第２課題は、
従来型の非方形封筒において、便箋の封入部及び取出部（以下、開口部という。）を極力少なくすると共に、封筒の便箋封入部及び取り出し部（開口部）に便箋を素早く封入することができる便箋と封筒のレターセットを提供することである。
○本発明が解決しようとする第３課題
本発明が解決しようとする第３課題は、
従来型の非方形封筒において、フラップにより、開口部の封をする場合、多数のフラップを放射状に開口部に設ける必要が有り、封を各フラップにノリ付けをする必要が有り、封筒に便箋を素早く封入することができないという欠点があり、かかる欠点を解消した便箋と封筒のレターセットを提供することである。
○本発明が解決しようとする第４課題
本発明が解決しようとする第４課題は、
従来型の非方形封筒において、シールにより、開口部の封をする場合、多数の折り曲げたシールを開口部に設ける必要が有り、封を折り曲げた各シールの裏面にノリ付けをして封をする必要が有り、封筒に便箋を素早く封入することができないという欠点があり、かかる欠点を解消した便箋と封筒のレターセットを提供することである。
【課題を解決するための手段】
【０００６】
課題を解決するための手段は、本願の［特許請求の範囲］の各請求項に記載の発明である。
特許請求の範囲、明細書、図面等の用語の解釈上の疑義を解消すべく、以下用語の説明を行うこととする。
＜用語の説明＞
□従来型の封筒とは、長方形の表面と裏面からなる封筒（市販されている）をいう（図１９（Ａ））。
従来型の封筒とは、具体的には、長さ寸法が幅寸法の倍数よりも長い長形と短い角形、さらに寸法の長いほうに封入口がありダイヤモンド貼り又はカマス貼りの洋形がある。長形と角形の封筒をあわせて和封筒といい、また、洋形の封筒は洋封筒ともいう。
■従来型の非方形封筒とは、長方形以外の表面と裏面からなる封筒（非方形封筒）において、従来の長方形状の封筒（従来型の方形封筒）と同様に表面と裏面の縁部輪郭線の一部を接合してなり、縁部輪郭線の一部を接合せずに便箋の封入部及び取出部（以下、開口部という。）として利用する封筒をいう（図１９（Ｂ））。
■表面（読み：おもてめん）Ｆ１とは、封筒９１を構成する表側の面をいう。表面と裏面は相互に合同な形状をなしている。
■裏面（読み：うらめん）Ｆ２とは、封筒９１を構成する裏側の面をいう。
■輪郭線とは、物の周囲を形作っている線をいう。
本発明においては、輪郭線とは、封筒の輪郭線ＯＬ、便箋の輪郭線ＯＬ’をいう。
●レターセット１００とは、封筒９１と便箋９２の組合せをいう。あるいは、封筒９１と便箋９２とシール９３の組合せをいう。
●便箋とは、手紙を書く用紙をいう。
本発明に係る便箋９２とは、本発明に係る封筒９１よりやや小さい、本発明に係る便箋と相似である、手紙を書く用紙をいう。
あるいは、本発明に係る便箋９２とは、表面Ｆ１と裏面Ｆ２の輪郭線ＯＬよりもやや外形がやや小さく、表面Ｆ１と裏面Ｆ２の間に収納可能である、手紙を書く用紙をいう（図２１、図２２）。
ここに、収納とは、表面Ｆ１と裏面Ｆ２の輪郭線Ｏの中に、便箋９２の輪郭線ＯＬ’が含まれる関係をいう。
上記において、外形とは、便箋９２の螺旋状の輪郭線ＯＬ’の中で、外周の螺旋状の輪郭線（閉曲線にはなっていない。）をいう。
●封筒とは、便箋等を封入する袋をいう。
●従来技術の封筒とは、方形の形状をした、便箋９２等を封入する袋をいう。
●従来技術の便箋とは、方形の形状をした手紙を書く用紙をいう。便箋を、３つ折り、又は４つ折りに畳んで、封筒に封入し封をする。
●本発明に係る封筒９１とは、長方形状ではない形状をした（非方形形状の）、便箋９２等を封入する袋をいう。
●本発明に係る便箋９２とは、長方形状ではない形状をした（非方形形状の）、手紙を書く用紙をいう。便箋９２には、差出人から受取人へのメッセージが記載されている（例えば、図１９（Ｃ））。
●曲線とは、曲率が０以外の値を取る線をいう。本発明に係る曲線は、曲率が０である直線を要素としない。
●閉曲線とは、両端が一致している連続曲線をいう。すなわち、閉じている曲線をいう。本発明に係る閉曲線は、交点を有しない閉曲線をいう。
本発明に係る閉曲線は、具体的には、凸曲線から構成される閉曲線のみならず、凸曲線及び凹曲線から構成される閉曲線も含まれる。例えば、ハート形状の封筒９１や便箋９２、螺旋形状の便箋９２がある。
○表面Ｆ１とは、封筒９１を構成し輪郭線ＯＬを有する表側の面をいう。表面Ｆ１と裏面Ｆ２は合同であり、表面Ｆ１と裏面Ｆ２の輪郭線ＯＬが閉曲線であって、表面Ｆ１と裏面Ｆ２とが輪郭線部ＯＬＡで接合されてなる。
○裏面Ｆ２とは、封筒９１を構成し輪郭線ＯＬを有する裏側の面をいう。表面Ｆ１と裏面Ｆ２は合同であり、表面Ｆ１と裏面Ｆ２の輪郭線ＯＬが閉曲線であって、表面Ｆ１と裏面Ｆ２とが輪郭線部ＯＬＡで接合されてなる。
○合同とは、二つの図形が重ね合わせることのできる関係にあることをいう。
本発明において、合同とは、表面Ｆ１と裏面Ｆ２の輪郭線ＯＬが重ね合わせることのできる関係にあることをいう。
○相似とは、二つの図形が他方の図形を拡大または縮小した関係にあることをいう。
本発明において、相似とは、表面Ｆ１と裏面Ｆ２の輪郭線ＯＬと便箋９２の輪郭線ＯＬ’が相互に拡大または縮小した関係にあることをいう。
○輪郭線ＯＬとは、具体的には、表面Ｆ１の輪郭線、又は、裏面Ｆ２の輪郭線をいう。すなわち、封筒９１の輪郭線をいう。
表面Ｆ１の輪郭線、又は、裏面Ｆ２の輪郭線を、表面Ｆ１と裏面Ｆ２の輪郭線を区別することなく同じ記号、すなわち、輪郭線ＯＬで表示する。
輪郭線ＯＬとは、封筒９１の周囲を形作っている線をいう。
輪郭線ＯＬには、交点を有する閉曲線は除かれる。
○輪郭線ＯＬ’とは、具体的には、便箋９２の輪郭線をいう。
輪郭線ＯＬ’とは、便箋９２の周囲を形作っている線をいう。
輪郭線ＯＬ’には、交点を有する閉曲線は除かれる。
○輪郭線部ＯＬＡとは、表面Ｆ１の輪郭線、及び、裏面Ｆ２の輪郭線を接合する部分（例えば、のり付け等で張り合わせる部分）をいう（例えば、図１６）。
■キャラクターとは、実在または架空の人物ないしは動物をかたどったブランドのシンボルのことをいう。
■キャラクターの図形とは、キャラクターの外形の輪郭線ＯＬの形状をいう。キャラクターの図形（キャラクターの図形の輪郭線ＯＬ）は、交点を有しない閉曲線の形状で表される。
■フラップＦＬＰとは、ノリ等で封筒の封をするための“垂れぶた”をいう。
■封筒スリットＳＬＴとは、便箋９２を封筒に封入するための、あるいは、便箋９２を封筒から取り出すための封筒９１に設けられた開口部であって、表面Ｆ１を貫通するように設けてなる貫通溝をいう。
封筒スリットＳＬＴの両端点が、点Ｐ１と点Ｐ２である。
表面Ｆ１に設けてなる封筒スリットＳＬＴに対応する裏面Ｆ２には貫通溝は設けられていない。
■便箋スリットＳＬＴ’とは、便箋９２を封筒に封入するための、あるいは、便箋９２を封筒から取り出すための便箋９２に設けられた開口部であって、便箋９２を貫通するように設けてなる貫通溝をいう。
便箋スリットＳＬＴ’の両端点が、点Ｐ１’と点Ｐ２’である。
ただし、点Ｐ２’の部分において、貫通溝は大気に通じている（図２３）。
■シール９３とは、便箋９２を封筒に封入した後に、封筒スリットＳＬＴに張って封をするための素材をいう。シール９３の裏面に切手と同様ノリ等が塗ってある場合が有り、ノリ等が塗ってある場合には、シール９３の裏面にノリ等を塗って封筒スリットＳＬＴに張って封をする（例えば、図１８（４））。
■開封スリットｓｌｔとは、封筒９１から便箋９２を開封する際に裏面Ｆ２の下側から指で押して便箋９２を取り出すために利用される、便箋スリットＳＬＴ’の下側の裏面Ｆ２の位置に裏面Ｆ２を貫通するように設けてなる１又は２以上の貫通溝をいう（例えば、図１６）。
■重心とは、物体の各部に働く重力をただ一つの力で代表させるとき、それが作用する点をいう。
具体的には、重心Ｏとは、表面Ｆ１と裏面Ｆ２の輪郭線ＯＬ（の形状）の重心をいう。すなわち、重心Ｏとは、封筒９１の重心をいう。
具体的には、重心Ｏ’は、便箋９２の輪郭線ＯＬ’（の形状）の重心をいう。すなわち、重心Ｏ’とは、便箋９２の重心をいう。
■方形封筒とは、長方形の表面と裏面からなる封筒をいう。
■非方形封筒とは、長方形でない表面と裏面からなる封筒をいう。
例えば、輪郭線ＯＬの形状が、長方形を除く閉曲線の形状であって、円形、楕円形、菱形、長方形、三角形、五角形、六角形、八角形、ハート形、星形の形状の閉曲線、キャラクター、動物、模型、飛行機、電車の図形の閉曲線である封筒をいう。
■点Ｐ１、点Ｐ２とは、封筒スリットＳＬＴの両端点をいう。
封筒スリットＳＬＴは、点Ｐ１と点Ｐ２を結ぶ直線又は曲線の貫通溝である。
■点Ｐ１’、点Ｐ２’とは、便箋スリットＳＬＴ’の両端点をいう。
■便箋９２の螺旋先端部Ｐ１’とは、便箋９２の螺旋先端部は螺旋内側の重心近傍と螺旋外側の２つあり、その何れかをいう。
例えば、図２１では、便箋９２の螺旋先端部Ｐ１’は、螺旋外側の先端部を表している。
例えば、図２２では、便箋９２の螺旋先端部Ｐ１’は、螺旋内側の先端部を表している。
■凹み点Ｏとは、表面Ｆ１と裏面Ｆ２の輪郭線ＯＬの形状がハート形の形状の閉曲線である封筒９１において、輪郭線ＯＬの重心との距離が最短になる輪郭線ＯＬ上の点をいう（図２０）。
■凹み点Ｏ’は、表面Ｆ１と裏面Ｆ２の輪郭線ＯＬの形状がハート形の形状の閉曲線である便箋９２において、輪郭線ＯＬ’の重心との距離が最短になる輪郭線ＯＬ’上の点をいう。
そして、点Ｐ２’は便箋９２の凹み点Ｏ’と一致してなる（図２０左下図）。
□穴Ｈとは、表面Ｆ１と裏面Ｆ２とからなる封筒９１の重心Ｏ周りに空けられた穴をいう。
□ミシン目Ｍとは、切り離しやすいように、紙に入れた連続した小穴をいい、本発明においては、表面Ｆ１と裏面Ｆ２とからなる封筒９１の重心Ｏ（穴Ｈ）周りに空けられた円状の連続した小穴をいう（図１）。
便箋９２を封筒９１から取り出すに際しては、ミシン目Ｍを切り離して封筒９１の穴Ｈより穴を拡大して、指を入れて便箋９２を封筒９１から取り出しやすくすることができる。
□山折り線ＹＬとは、紙などを折る時に、折り目が外側（表側）に出るようにする折るための線をいう（図１）。
便箋９２の山折り線ＹＬを山折りすることにより、便箋９２を封筒９１に封入するに際しては、便箋９２を封筒スリットＳＬＴから封筒９１に封入することができ、
封筒の便箋封入部及び取り出し部（開口部）に便箋を素早く封入することができる便箋と封筒のレターセットを提供することができた（図１８（２））。
■甲が乙の近傍に位置する（ある）とは、甲乙の間に距離があるもののその距離が小さいことをいう。
＜穴Ｈ、ミシン目を構成要件としない発明の説明＞
本願図面において、穴Ｈ、ミシン目を構成要件とする発明を図示しているが、穴Ｈ、ミシン目を構成要件としない発明も請求項記載発明である。
穴Ｈ、ミシン目を構成要件としない発明の図は、穴Ｈ、ミシン目を構成要件とする発明を図示した図面にあって、穴Ｈ、ミシン目を削除した図とする。
ただし、封筒スリットＳＬＴの点Ｐ１と点Ｐ２を結ぶ線は、穴Ｈを削除しただけでは重心部が欠損したままであるので欠損のない実線として修正する。
＜サフィックスの説明＞
「’  」は、便箋９２であることを表す。
＜図２１、図２２における点Ｐ１、点Ｐ２、重心Ｇの位置関係＞
図２１、図２２において、点Ｐ１、点Ｐ２、重心Ｇの位置に関しては、重心Ｇを中心にし、外側に向かって点Ｐ１、点Ｐ２の順で位置する。
＜記号の説明＞
点Ｐ１：封筒スリットＳＬＴの端点（点Ｐ２に対する他方の点）をいう。
点Ｐ２：封筒スリットＳＬＴの端点（点Ｐ１に対する他方の点）をいう。
点Ｐ１’：便箋スリットＳＬＴ’の端点（点Ｐ１に対応する点）をいう。
点Ｐ２’：便箋スリットＳＬＴ’の端点（点Ｐ２に対応する点）をいう。
＜図１９における記号の説明＞
Ａ：従来の方形封筒の上辺の長さ
和封筒の場合は、Ａ＜Ｂ
Ｂ：従来の方形封筒の側辺の長さ
洋封筒の場合は、Ａ＞Ｂ
Ｄ：非方形封筒（円形状封筒）の直径
以下、図１９を参照にしながら説明する（図１９（Ａ）、（Ｂ）、（Ｃ））。
（Ａ）図における点Ｐ１、Ｐ２は、封筒の上辺の両端点
（Ａ）図における点Ｐ０は、封筒の上辺の中点
（Ａ）図における直線Ｐ１Ｐ０Ｐ２は、封筒の開口部
（Ｂ）図における点Ｐ１、Ｐ２は、封筒の縁部輪郭線（開口部）の両端点
（Ｂ）図における点Ｐ０は、封筒の縁部輪郭線（開口部）の中点
（Ｃ）図における点Ｐ１、Ｐ２は、封筒の開口部の両端点
（Ｃ）図における点Ｐ０は、封筒の開口部の中点
（Ｃ）図における直線Ｐ１Ｐ０Ｐ２は、封筒の開口部
Η：封筒の開口率（＝開口部の長さ／封筒の縁部輪郭線の長さの比）
［発明が解決しようとする課題］、［０００７］において記載の「便箋の開口部を極力少なくする」ことは、より正確には、「封筒の開口率（＝開口部の長さ／封筒の縁部輪郭線の長さの比）を極力少なくする」ことである。
ΗＡ：従来の方形封筒の開口率
ΗＡ＝Ａ／（２（Ａ＋Ｂ））＜０．５…（Ａ）式
ΗＢ：従来型の非方形封筒の開口率
ΗＢ＝（Π／２Ｄ）／（ΠＤ）＝０．５…（Ｂ）式
ΗＣ：本発明に係る非方形封筒の開口率
ΗＣ＝（Ｄ／（ΠＤ）＝１／Π＝０．３１８…（Ｃ）式
本発明が解決しようとする課題は、便箋の開口部を極力少なくすることであり、すなわち、本発明に係る非方形封筒の開口率を従来型の非方形封筒の開口率０．５より少なくすることである。
＜本発明が解決しようとする課題の発見について＞
以下、図１９を参照にしながら説明する。
図１９は、従来の方形封筒と従来型の非方形封筒と本発明に係る非方形封筒における、開口率Ηを説明するための図である。
（Ａ）図は、従来の方形封筒の開口率を示す図である。開口率Ηは、以下のように表される。
開口率ΗＡ＝Ａ／（２（Ａ＋Ｂ））＜０．５…（Ａ）式
（Ｂ）図は、従来型の非方形封筒の開口率を示す図である。
開口率ΗＢ＝（Π／２Ｄ）／（ΠＤ）＝０．５…（Ｂ）式
（Ｃ）図は、本発明に係る非方形封筒の開口率を示す図である。
開口率ΗＣ＝（Ｄ／（ΠＤ）＝１／Π＝０．３１８…（Ｂ）式
従来の方形封筒には、和封筒と洋封筒が有るが、何れの開口率ΗＡも、（Ａ）式で表されて、０．５未満である。
従来封筒の考え方（封筒の縁部輪郭線Ｐ１Ｐ０Ｐ２）の延長線上に従来型の非方形封筒を実現すると（Ｂ）図のようになる。
従来型の非方形封筒の開口率ΗＢは、（Ｂ）式で与えられ、０．５である。
ここに、従来の方形封筒の縁部輪郭線を非方形にし、開口率ΗＣを０．５未満にすることという本発明が解決しようとする課題を発見した。
（Ｃ）図は、本発明（請求項１〜１５の何れかに記載された発明）に係る非方形封筒の開口率を説明する図である。
課題を解決するための手段は、本願の特許請求の範囲の各請求項に記載の発明であり、その具体的な解決手段は、以下の通りである。
○第１の発明（請求項１に記載の発明）
上記の課題を解決するための第１の発明（請求項１に記載の発明）は、
表面Ｆ１と裏面Ｆ２とからなり表面Ｆ１と裏面Ｆ２が合同である封筒９１と、表面Ｆ１と裏面Ｆ２に対して相似形であり、大きさが表面Ｆ１と裏面Ｆ２よりもやや小さい便箋９２とから構成されるレターセット１００において、表面Ｆ１と裏面Ｆ２の輪郭線ＯＬの形状が閉曲線であって、表面Ｆ１と裏面Ｆ２とが輪郭線部ＯＬＡで接合されてなり、点Ｐ１と点Ｐ２は、表面Ｆ１の重心Ｏを通るように表面Ｆ１の表側の面の輪郭線ＯＬ近傍に位置すると共に、点Ｐ１と点Ｐ２を両端とする封筒スリットＳＬＴが表面Ｆ１を貫通するように設けてなり、便箋９２を封筒スリットＳＬＴから封筒９１に封入することを特徴とするレターセット１００である。
○第２の発明（請求項２に記載の発明）
上記の課題を解決するための第２の発明（請求項２に記載の発明）は、
表面Ｆ１と裏面Ｆ２とが輪郭線部ＯＬＡで接合されてなるとは、表面Ｆ１と裏面Ｆ２とが輪郭線部ＯＬＡで張り合わせてなることを特徴とする請求項１に記載されたレターセット１００である。
○第３の発明（請求項３に記載の発明）
上記の課題を解決するための第３の発明（請求項３に記載の発明）は、
輪郭線ＯＬの形状が、長方形を除く閉曲線の形状であって、円形、楕円形、菱形、長方形、三角形、五角形、六角形、八角形、ハート形、星形の形状の閉曲線であることを特徴とする請求項１〜２の何れかに記載されたレターセット１００である。
○第４の発明（請求項４に記載の発明）
上記の課題を解決するための第４の発明（請求項４に記載の発明）は、
輪郭線ＯＬの形状が、長方形を除く閉曲線の形状であって、キャラクター、動物、模型、飛行機、電車の図形の閉曲線であることを特徴とする請求項１〜３の何れかに記載されたレターセット１００である。
○第５の発明（請求項５に記載の発明）
上記の課題を解決するための第５の発明（請求項５に記載の発明）は、
点Ｐ１は表面Ｆ１の表側の面の輪郭線ＯＬ近傍に位置し、点Ｐ２は表面Ｆ１の重心Ｏ近傍に位置すると共に、点Ｐ１と点Ｐ２を両端とする封筒スリットＳＬＴが表面Ｆ１を貫通するように設けてなり、
一方、点Ｐ１’は便箋９２の表面の輪郭線ＯＬ’上に位置し、点Ｐ２’は便箋９２の表面の重心Ｏ’近傍に位置すると共に、点Ｐ１’と点Ｐ２’を両端とする便箋スリットＳＬＴ’が便箋９２を貫通するように設けてなると共に便箋スリットＳＬＴ’の点Ｐ２’側が大気に通じていることを特徴とする請求項１〜４の何れかに記載されたレターセット１００である。
○第６の発明（請求項６に記載の発明）
上記の課題を解決するための第６の発明（請求項６に記載の発明）は、
便箋９２を封筒９１に封入した後、封筒９１の封筒スリットＳＬＴの封をするシール９３とから構成されることを特徴とする請求項１〜５の何れかに記載されたレターセット１００である。
○第７の発明（請求項７に記載の発明）
上記の課題を解決するための第７の発明（請求項７に記載の発明）は、
封筒９１から便箋９２を開封する際に裏面Ｆ２の下側から指で押して便箋９２を取り出すために利用される、１又は２以上の開封スリットｓｌｔを、封筒スリットＳＬＴの下側の裏面Ｆ２の位置に裏面Ｆ２を貫通するように設けてなることを特徴とする請求項１〜６の何れかに記載されたレターセット１００である。
○第８の発明（請求項８に記載の発明）
上記の課題を解決するための第８の発明（請求項８に記載の発明）は、
表面Ｆ１と裏面Ｆ２とからなり表面Ｆ１と裏面Ｆ２が合同である封筒９１と、表面Ｆ１と裏面Ｆ２とが相似形であり、大きさが表面Ｆ１と裏面Ｆ２よりもやや小さい便箋９２とから構成されるレターセット１００において、表面Ｆ１と裏面Ｆ２の輪郭線ＯＬの形状がハート形の形状の閉曲線であって、表面Ｆ１と裏面Ｆ２とが輪郭線部ＯＬＡで接合されてなり、
点Ｐ１は表面Ｆ１の表側面の輪郭線ＯＬ近傍に位置し、点Ｐ２は表面Ｆ１の凹み点Ｏ近傍に位置すると共に、点Ｐ１と点Ｐ２を両端とする封筒スリットＳＬＴが点Ｐ１から点Ｐ２まで輪郭線ＯＬに沿って表面Ｆ１を貫通するように設けてなり、
一方、便箋９２の表面の輪郭線ＯＬ’の形状がハート形の形状の閉曲線であり、点Ｐ２’は便箋９２の凹み点Ｏ’近傍に位置してなり、
便箋９２を封筒９１に封入するに際しては、便箋９２の点Ｐ２’を封筒９１の表面Ｆ１の点Ｐ２と交差したまま便箋９２を回転させながら、便箋９２を封筒スリットＳＬＴから封筒９１に封入することを特徴とするレターセット１００である。
○第９の発明（請求項９に記載の発明）
上記の課題を解決するための第９の発明（請求項９に記載の発明）は、
表面Ｆ１と裏面Ｆ２とが輪郭線部ＯＬＡで接合されてなるとは、表面Ｆ１と裏面Ｆ２とが輪郭線部ＯＬＡで張り合わせてなることを特徴とする請求項８に記載されたレターセット１００である。
○第１０の発明（請求項１０に記載の発明）
上記の課題を解決するための第１０の発明（請求項１０に記載の発明）は、
便箋９２を封筒９１に封入した後、封筒９１の封筒スリットＳＬＴの封をするシール９３とから構成されることを特徴とする請求項８〜９の何れかに記載されたレターセット１００である。
○第１１の発明（請求項１１に記載の発明）
上記の課題を解決するための第１１の発明（請求項１１に記載の発明）は、
封筒９１から便箋９２を開封する際に裏面Ｆ２の下側から指で押して便箋９２を取り出すために利用される、１又は２以上の開封スリットｓｌｔを、封筒スリットＳＬＴの下側の裏面Ｆ２の位置に裏面Ｆ２を貫通するように設けてなることを特徴とする請求項８〜１０の何れかに記載されたレターセット１００である。
○第１２の発明（請求項１２に記載の発明）
上記の課題を解決するための第１２の発明（請求項１２に記載の発明）は、
表面Ｆ１と裏面Ｆ２とからなり表面Ｆ１と裏面Ｆ２が合同である封筒９１と、表面Ｆ１と裏面Ｆ２よりもやや外形がやや小さく、表面Ｆ１と裏面Ｆ２の間に収納可能である便箋９２とから構成されるレターセット１００において、表面Ｆ１と裏面Ｆ２の輪郭線ＯＬの形状が円形の形状の閉曲線であって、表面Ｆ１と裏面Ｆ２とが輪郭線部ＯＬＡで接合されてなり、
点Ｐ１は表面Ｆ１の表側の面の輪郭線ＯＬ近傍に位置し、点Ｐ２は表面Ｆ１の重心Ｏ近傍、あるいは、表面Ｆ１の重心Ｏの外側寄りに位置すると共に、点Ｐ１と点Ｐ２を両端とする封筒スリットＳＬＴが表面Ｆ１を貫通するように設けてなり、
一方、便箋９２の表面の輪郭線ＯＬ’の形状が螺旋形の形状の閉曲線であり、
便箋９２を封筒９１に封入するに際しては、便箋９２の螺旋先端部Ｐ１’を封筒スリットＳＬＴに挿入したまま便箋９２を回転させながら、便箋９２を封筒スリットＳＬＴから封筒９１に封入することを特徴とするレターセット１００である。
○第１３の発明（請求項１３に記載の発明）
上記の課題を解決するための第１３の発明（請求項１３に記載の発明）は、
表面Ｆ１と裏面Ｆ２とが輪郭線部ＯＬＡで接合されてなるとは、表面Ｆ１と裏面Ｆ２とが輪郭線部ＯＬＡで張り合わせてなることを特徴とする請求項１２に記載されたレターセット１００である。
○第１４の発明（請求項１４に記載の発明）
上記の課題を解決するための第１４の発明（請求項１４に記載の発明）は、
便箋９２を封筒９１に封入した後、封筒９１の封筒スリットＳＬＴの封をするシール９３とから構成されることを特徴とする請求項１２〜１３の何れかに記載されたレターセット１００である。
○第１５の発明（請求項１５に記載の発明）
上記の課題を解決するための第１５の発明（請求項１５に記載の発明）は、
封筒９１から便箋９２を開封する際に裏面Ｆ２の下側から指で押して便箋９２を取り出すために利用される、１又は２以上の開封スリットＳＬＴを、封筒スリットＳＬＴの下側の裏面Ｆ２の位置に裏面Ｆ２を貫通するように設けてなることを特徴とする請求項１２〜１４の何れかに記載されたレターセット１００である。
【発明の効果】
【０００７】
本発明に係るレターセット１００は、上記のような特徴的構成要件から構成され、特徴的構成要件に応じた、以下のような本願発明特有の効果を奏する。
また、上記の各発明に応じた、上記のような特徴的構成要件から構成されたレターセット１００によれば、本願発明の課題を十分解消することができた。
○第１の発明の効果
第１の発明によれば、
表面Ｆ１と裏面Ｆ２とからなり表面Ｆ１と裏面Ｆ２が合同である封筒９１と、表面Ｆ１と裏面Ｆ２に対して相似形であり、大きさが表面Ｆ１と裏面Ｆ２よりもやや小さい便箋９２とから構成されるレターセット１００において、表面Ｆ１と裏面Ｆ２の輪郭線ＯＬの形状が閉曲線であって、表面Ｆ１と裏面Ｆ２とが輪郭線部ＯＬＡで接合されてなり、点Ｐ１と点Ｐ２は、表面Ｆ１の重心Ｏを通るように表面Ｆ１の表側の面の輪郭線ＯＬ近傍に位置すると共に、点Ｐ１と点Ｐ２を両端とする封筒スリットＳＬＴが表面Ｆ１を貫通するように設けてなり、便箋９２を封筒スリットＳＬＴから封筒９１に封入することという特徴的な構成要件により、本発明が解決しようとする第１課題〜第４課題を達成することができ、当業者予測不可能な顕著な効果を奏することができた。
○第２の発明の効果
第２の発明によれば、
表面Ｆ１と裏面Ｆ２とが輪郭線部ＯＬＡで接合されてなるとは、表面Ｆ１と裏面Ｆ２とが輪郭線部ＯＬＡで張り合わせてなることという特徴的な構成要件により、本発明が解決しようとする第１課題〜第４課題を達成することができ、当業者予測不可能な顕著な効果を奏することができた。
○第３の発明の効果
第３の発明によれば、
輪郭線ＯＬの形状が、長方形を除く閉曲線の形状であって、円形、楕円形、菱形、長方形、三角形、五角形、六角形、八角形、ハート形、星形の形状の閉曲線であることという特徴的な構成要件により、本発明が解決しようとする第１課題〜第４課題を達成することができ、当業者予測不可能な顕著な効果を奏することができた。
○第４の発明の効果
第４の発明によれば、
輪郭線ＯＬの形状が、長方形を除く閉曲線の形状であって、キャラクター、動物、模型、飛行機、電車の図形の閉曲線であることという特徴的な構成要件により、本発明が解決しようとする第１課題〜第４課題を達成することができ、当業者予測不可能な顕著な効果を奏することができた。
○第５の発明の効果
第５の発明によれば、
点Ｐ１は表面Ｆ１の表側の面の輪郭線ＯＬ近傍に位置し、点Ｐ２は表面Ｆ１の重心Ｏ近傍に位置すると共に、点Ｐ１と点Ｐ２を両端とする封筒スリットＳＬＴが表面Ｆ１を貫通するように設けてなり、
一方、点Ｐ１’は便箋９２の表面の輪郭線ＯＬ’上に位置し、点Ｐ２’は便箋９２の表面の重心Ｏ’近傍に位置すると共に、点Ｐ１’と点Ｐ２’を両端とする便箋スリットＳＬＴ’が便箋９２を貫通するように設けてなると共にせん便箋スリットＳＬＴ’の点Ｐ２’側が大気に通じていることという特徴的な構成要件により、本発明が解決しようとする第１課題〜第４課題を達成することができ、当業者予測不可能な顕著な効果を奏することができた。
○第６の発明の効果
第６の発明によれば、
便箋９２を封筒９１に封入した後、封筒９１の封筒スリットＳＬＴの封をするシール９３とから構成されることという特徴的な構成要件により、本発明が解決しようとする第１課題〜第４課題を達成することができ、当業者予測不可能な顕著な効果を奏することができた。
○第７の発明の効果
第７の発明によれば、
封筒９１から便箋９２を開封する際に裏面Ｆ２の下側から指で押して便箋９２を取り出すために利用される、１又は２以上の開封スリットｓｌｔを、封筒スリットＳＬＴの下側の裏面Ｆ２の位置に裏面Ｆ２を貫通するように設けてなることという特徴的な構成要件により、本発明が解決しようとする第１課題〜第４課題を達成することができ、当業者予測不可能な顕著な効果を奏することができた。
○第８の発明の効果
第８の発明によれば、
表面Ｆ１と裏面Ｆ２とからなり表面Ｆ１と裏面Ｆ２が合同である封筒９１と、表面Ｆ１と裏面Ｆ２とが相似形であり、大きさが表面Ｆ１と裏面Ｆ２よりもやや小さい便箋９２とから構成されるレターセット１００において、表面Ｆ１と裏面Ｆ２の輪郭線ＯＬの形状がハート形の形状の閉曲線であって、表面Ｆ１と裏面Ｆ２とが輪郭線部ＯＬＡで接合されてなり、
点Ｐ１は表面Ｆ１の表側面の輪郭線ＯＬ近傍に位置し、点Ｐ２は表面Ｆ１の凹み点Ｏ近傍に位置すると共に、点Ｐ１と点Ｐ２を両端とする封筒スリットＳＬＴが点Ｐ１から点Ｐ２まで輪郭線ＯＬに沿って表面Ｆ１を貫通するように設けてなり、
一方、便箋９２の表面の輪郭線ＯＬ’の形状がハート形の形状の閉曲線であり、点Ｐ２’は便箋９２の凹み点Ｏ’近傍に位置してなり、
便箋９２を封筒９１に封入するに際しては、便箋９２の点Ｐ２’を封筒９１の表面Ｆ１の点Ｐ２と交差したまま便箋９２を回転させながら、便箋９２を封筒スリットＳＬＴから封筒９１に封入することという特徴的な構成要件により、本発明が解決しようとする第１課題〜第４課題を達成することができ、当業者予測不可能な顕著な効果を奏することができた。
○第９の発明の効果
第９の発明によれば、
表面Ｆ１と裏面Ｆ２とが輪郭線部ＯＬＡで接合されてなるとは、表面Ｆ１と裏面Ｆ２とが輪郭線部ＯＬＡで張り合わせてなることという特徴的な構成要件により、本発明が解決しようとする第１課題〜第４課題を達成することができ、当業者予測不可能な顕著な効果を奏することができた。
○第１０の発明の効果
第１０の発明によれば、
便箋９２を封筒９１に封入した後、封筒９１の封筒スリットＳＬＴの封をするシール９３とから構成されることという特徴的な構成要件により、本発明が解決しようとする第１課題〜第４課題を達成することができ、当業者予測不可能な顕著な効果を奏することができた。
○第１１の発明の効果
第１１の発明によれば、
封筒９１から便箋９２を開封する際に裏面Ｆ２の下側から指で押して便箋９２を取り出すために利用される、１又は２以上の開封スリットｓｌｔを、封筒スリットＳＬＴの下側の裏面Ｆ２の位置に裏面Ｆ２を貫通するように設けてなることという特徴的な構成要件により、本発明が解決しようとする第１課題〜第４課題を達成することができ、当業者予測不可能な顕著な効果を奏することができた。
○第１２の発明の効果
第１２の発明によれば、
表面Ｆ１と裏面Ｆ２とからなり表面Ｆ１と裏面Ｆ２が合同である封筒９１と、表面Ｆ１と裏面Ｆ２よりもやや外形がやや小さく、表面Ｆ１と裏面Ｆ２の間に収納可能である便箋９２とから構成されるレターセット１００において、表面Ｆ１と裏面Ｆ２の輪郭線ＯＬの形状が円形の形状の閉曲線であって、表面Ｆ１と裏面Ｆ２とが輪郭線部ＯＬＡで接合されてなり、
点Ｐ１は表面Ｆ１の表側の面の輪郭線ＯＬ近傍に位置し、点Ｐ２は表面Ｆ１の重心Ｏ近傍、あるいは、表面Ｆ１の重心Ｏの外側寄りに位置すると共に、点Ｐ１と点Ｐ２を両端とする封筒スリットＳＬＴが表面Ｆ１を貫通するように設けてなり、
一方、便箋９２の表面の輪郭線ＯＬ’の形状が螺旋形の形状の閉曲線であり、
便箋９２を封筒９１に封入するに際しては、便箋９２の螺旋先端部Ｐ１’を封筒スリットＳＬＴに挿入したまま便箋９２を回転させながら、便箋９２を封筒スリットＳＬＴから封筒９１に封入することという特徴的な構成要件により、本発明が解決しようとする第１課題〜第４課題を達成することができ、当業者予測不可能な顕著な効果を奏することができた。
○第１３の発明の効果
第１３の発明によれば、
表面Ｆ１と裏面Ｆ２とが輪郭線部ＯＬＡで接合されてなるとは、表面Ｆ１と裏面Ｆ２とが輪郭線部ＯＬＡで張り合わせてなることという特徴的な構成要件により、本発明が解決しようとする第１課題〜第４課題を達成することができ、当業者予測不可能な顕著な効果を奏することができた。
○第１４の発明の効果
第１４の発明によれば、
便箋９２を封筒９１に封入した後、封筒９１の封筒スリットＳＬＴの封をするシール９３とから構成されることという特徴的な構成要件により、本発明が解決しようとする第１課題〜第４課題を達成することができ、当業者予測不可能な顕著な効果を奏することができた。
○第１５の発明の効果
第１５の発明によれば、
便箋９２を封筒９１に封入した後、封筒９１の封筒スリットＳＬＴの封をするシール９３とから構成されることという特徴的な構成要件により、本発明が解決しようとする第１課題〜第４課題を達成することができ、当業者予測不可能な顕著な効果を奏することができた。
【発明を実施するための最良の形態】
【０００８】
以下、本発明に係る、レターセット１００に関する最良の実施形態について、図面を参照しながら説明する。
図１〜図７、図１８は、本発明に係る、輪郭線ＯＬの形状が円形の閉曲線であるレターセット１００（単に、「円形のレターセット」ともいう。）を表した図面である。
図８〜図１４は、本発明に係る、輪郭線ＯＬの形状が円形の閉曲線であるレターセット（請求項５に記載のレターセットを表す。単に、「請求項５に記載のレターセット」ともいう。）を表した図面である。
図１５〜図１６は、本発明に係る、輪郭線ＯＬの形状がキャラクター（ミッキーマウス）の図形の閉曲線であるレターセットを表した図面である。
図１７は、輪郭線ＯＬの形状がキャラクター（熊）の図形の閉曲線であるレターセット、ハート形の図形の閉曲線を表した図面である。
各図については、以下の通り説明する。
［図１］図１は、本発明に係る円形のレターセットを表した平面図である。
［図２］図２は、本発明に係る円形のレターセットを表した底面図である。
［図３］図３は、本発明に係る円形のレターセットを表した左側面図である。本発明に係る円形のレターセットを表した右側面図は、発明に係る円形のレターセットを表した左側面図と対称に表れるので省略する。
［図４］図４は、本発明に係る円形のレターセットを表した正面図である。本発明に係る円形のレターセットを表した背面図は、発明に係る円形のレターセットを表した正面図と対称に表れるので省略する。
［図５］図５は、本発明に係る円形のレターセットを表した斜視図である。
［図６］図６の上図は、本発明に係る円形のレターセットの封筒９１を表した平面図である。図６の下図は、本発明に係る円形のレターセットの便箋９２を表した平面図である。矢印は、便箋９２を封筒に挿入する方向を表す。山折り線で便箋９２を山折りして、封筒スリットＳＬＴから紙面視便箋の上端を挿入する。
［図７］図７は、本発明に係る円形のレターセットにおいて、便箋９２を封筒９１に挿入し終えた後に、シール９３により封をした状態を表した平面図である。
［図８］図８は、請求項５に記載のレターセットを表した平面図である。
［図９］図９は、請求項５に記載のレターセットを表した底面図である。
［図１０］図１０は、請求項５に記載のレターセットを表した左側面図である。請求項５に記載のレターセットを表した右側面図は、請求項５に記載のレターセットを表した左側面図と対称に表れるので省略する。
［図１１］図１１は、請求項５に記載のレターセットを表した正面図である。請求項５に記載のレターセットを表した背面図は、請求項５に記載のレターセットと対称に表れるので省略する。
［図１２］図１２は、請求項５に記載のレターセットを表した斜視図である。
［図１３］図１３の左上図は、請求項５に記載のレターセットの封筒９１を表した平面図である。図１３の左下図は、本請求項５に記載のレターセットの便箋９２を表した平面図である。矢印は、便箋９２を封筒に挿入する方向を表す。便箋９２の便箋スリットＳＬＴ’を封筒９１の封筒スリットＳＬＴに近づけて重ねる。そして、紙面視便箋スリットＳＬＴ’の下側の便箋部分を回転させながら、封筒９１に挿入する。紙面視便箋スリットＳＬＴ’の下側の便箋部分を回転させながら、封筒９１に完全に挿入し終えるまで続ける。
図１３の右上図は、紙面視便箋スリットＳＬＴ’の下側の便箋部分を１３５°程度回転させて、封筒９１に挿入した状態を示す図である。
［図１４］図１４は、請求項５に記載のレターセットにおいて、便箋９２を封筒９１に挿入し終えた後に、シール９３により封をした状態を表した平面図である。
［図１５］図１５の上図は、本発明に係る、輪郭線ＯＬの形状がキャラクター（ミッキーマウス）の図形の閉曲線であるレターセットの封筒９１を表した平面図である。図１５の下図は、本発明に係る、輪郭線ＯＬの形状がキャラクター（ミッキーマウス）の図形の閉曲線であるレターセットの便箋９２を表した平面図である。矢印は、便箋９２を封筒に挿入する方向を表す。山折り線で便箋９２を山折りして、封筒スリットＳＬＴから紙面視便箋の上端を挿入する。
［図１６］図１６は、本発明に係る、輪郭線ＯＬの形状がキャラクター（ミッキーマウス）の図形の閉曲線であるレターセットを表した台紙の平面図である。
台紙の表面Ｆ１と裏面Ｆ２を張り合わせて封筒９１を作製する。
［図１７］図１７は、輪郭線ＯＬの形状がキャラクター（熊）の図形の閉曲線であるレターセット、ハート形の図形の閉曲線を表した平面図である。
［図１８］図１８は、本発明に係る、輪郭線ＯＬの形状が円形の閉曲線であるレターセット１００の作業フローを表す図である。（１）図は、便箋９２にメッセージを書く作業フローを表す図である。（２）図は、封筒９１の封筒スリットＳＬＴで山折りする作業フローを表す図である。（３）図は、便箋９２を山折り線ＹＬで折り曲げて封筒に挿入する作業フローを表す図である。（４）図は、便箋９２を封筒に挿入し終えた後にシール９３を貼る作業フローを表す図である。（５）図は、便箋９２を封筒から取り出す作業フローを表す図である（封筒９１を曲げながら紙面視下から指で米印（開封ＳＬＴ）を押す。）。
［図１９］図１９は、従来の方形封筒と従来型の非方形封筒と本発明に係る非方形封筒における、開口率Ηを説明するための図である。
（Ａ）図は、従来の方形封筒の開口率を示す図である。開口率Ηは、以下のように表される。
開口率ΗＡ＝Ａ／（２（Ａ＋Ｂ））＜０．５…（Ａ）式
（Ｂ）図は、従来型の非方形封筒の開口率を示す図である。
開口率ΗＢ＝（Π／２Ｄ）／（ΠＤ）＝０．５…（Ｂ）式
（Ｃ）図は、本発明に係る非方形封筒の開口率を示す図である。
開口率ΗＣ＝（Ｄ／（ΠＤ）＝１／Π＝０．３１８…（Ｂ）式
［図２０］図２０の左上図は、請求項８〜１２の何れかに記載のレターセットの封筒９１を表した平面図である。図２０の左下図は、請求項８〜１２の何れかに記載のレターセットの便箋９２を表した平面図である。便箋９２の点Ｐ１’を封筒９１の表面Ｆ１の点Ｐ１に近づけて重ねる。そして、紙面視左上の便箋部分を回転させながら、封筒９１の封筒スリットＳＬＴに挿入する。紙面視封筒スリットＳＬＴの中側に挿入した便箋部分を回転させながら、封筒９１に完全に挿入し終えるまで続ける。
図２０の右上図は、紙面視左上の便箋部分を回転させて封筒９１に挿入した途中の状態を示す図である。
［図２１］図２１の左上図は、請求項１２〜１５の何れかに記載のレターセットの封筒９１を表した平面図である。図２１の左下図は、本請求項１２〜１５の何れかに記載のレターセットの便箋９２を表した平面図である。便箋９２の螺旋形状の先端部（外側の先端部、又は内側中心部の先端部、図２１では外側の先端部を表示している。）を、封筒９１の表面Ｆ１の封筒スリットＳＬＴに近づけて挿入する。そして、紙面視左の便箋部分を左回りに回転させながら、封筒９１の封筒スリットＳＬＴに挿入する。紙面視封筒スリットＳＬＴから挿入された左回りに便箋部分を回転させながら、封筒９１に完全に挿入し終えるまで続ける。
図２１の右上図は、紙面視左上の螺旋形状の便箋部分を回転させて封筒９１に挿入した途中の状態を示す図である。
［図２２］図２２の左上図は、請求項１２〜１５の何れかに記載のレターセットの封筒９１（別態様）を表した平面図である。図２２の左下図は、本請求項１２〜１５の何れかに記載のレターセットの便箋９２（別態様）を表した平面図である。便箋９２の螺旋形状の先端部（外側の先端部、又は内側中心部の先端部、図２２では内側の先端部を表示している。）を、封筒９１の表面Ｆ１の封筒スリットＳＬＴに近づけて挿入する。そして、紙面視左の便箋部分を左回りに回転させながら、封筒９１の封筒スリットＳＬＴに挿入する。紙面視封筒スリットＳＬＴから挿入された左回りに便箋部分を回転させながら、封筒９１に完全に挿入し終えるまで続ける。
図２２の右上図は、紙面視左上の螺旋形状の便箋部分を回転させて封筒９１に挿入した途中の状態を示す図である。
［図２３］図２３の（Ａ）図は、図１３図の左下図の点Ｐ１’部分の拡大平面図である。（Ａ）図は、便箋スリットＳＬＴ’の点Ｐ２’側が大気に通じていることを示している。
図２３の（Ｂ）図は、図２３の（Ａ）図のＡＡ矢視断面図を表している。（Ｂ）図は、封筒スリットＳＬＴが表面Ｆ１を貫通するように設けてなることを示している。
以下、本発明に係るレターセット１００について、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のレターセット１００において、
表面Ｆ１と裏面Ｆ２とからなり表面Ｆ１と裏面Ｆ２が合同である封筒９１と、表面Ｆ１と裏面Ｆ２に対して相似形であり、大きさが表面Ｆ１と裏面Ｆ２よりもやや小さい便箋９２とから構成されるレターセット１００において、表面Ｆ１と裏面Ｆ２の輪郭線ＯＬの形状が閉曲線であって、表面Ｆ１と裏面Ｆ２とが輪郭線部ＯＬＡで接合されてなり、点Ｐ１と点Ｐ２は、表面Ｆ１の重心Ｏを通るように表面Ｆ１の表側の面の輪郭線ＯＬ近傍に位置すると共に、点Ｐ１と点Ｐ２を両端とする封筒スリットＳＬＴが表面Ｆ１を貫通するように設けてなり、便箋９２を封筒スリットＳＬＴから封筒９１に封入することを特徴とするレターセット１００が開示されている。
○第１の発明の効果
第１の発明によれば、
表面Ｆ１と裏面Ｆ２とからなり表面Ｆ１と裏面Ｆ２が合同である封筒９１と、表面Ｆ１と裏面Ｆ２に対して相似形であり、大きさが表面Ｆ１と裏面Ｆ２よりもやや小さい便箋９２とから構成されるレターセット１００において、表面Ｆ１と裏面Ｆ２の輪郭線ＯＬの形状が閉曲線であって、表面Ｆ１と裏面Ｆ２とが輪郭線部ＯＬＡで接合されてなり、点Ｐ１と点Ｐ２は、表面Ｆ１の重心Ｏを通るように表面Ｆ１の表側の面の輪郭線ＯＬ近傍に位置すると共に、点Ｐ１と点Ｐ２を両端とする封筒スリットＳＬＴが表面Ｆ１を貫通するように設けてなり、便箋９２を封筒スリットＳＬＴから封筒９１に封入することという特徴的な構成要件により、本発明が解決しようとする第１課題〜第４課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のレターセット１００において、
表面Ｆ１と裏面Ｆ２とが輪郭線部ＯＬＡで接合されてなるとは、表面Ｆ１と裏面Ｆ２とが輪郭線部ＯＬＡで張り合わせてなることを特徴とする請求項１に記載されたレターセット１００が開示されている。
○第２の発明の効果
第２の発明によれば、
表面Ｆ１と裏面Ｆ２とが輪郭線部ＯＬＡで接合されてなるとは、表面Ｆ１と裏面Ｆ２とが輪郭線部ＯＬＡで張り合わせてなることという特徴的な構成要件により、本発明が解決しようとする第１課題〜第４課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のレターセット１００において、
輪郭線ＯＬの形状が、長方形を除く閉曲線の形状であって、円形、楕円形、菱形、長方形、三角形、五角形、六角形、八角形、ハート形、星形の形状の閉曲線であることを特徴とする請求項１〜２の何れかに記載されたレターセット１００が開示されている。
○第３の発明の効果
第３の発明によれば、
輪郭線ＯＬの形状が、長方形を除く閉曲線の形状であって、円形、楕円形、菱形、長方形、三角形、五角形、六角形、八角形、ハート形、星形の形状の閉曲線であることという特徴的な構成要件により、本発明が解決しようとする第１課題〜第４課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のレターセット１００において、
輪郭線ＯＬの形状が、長方形を除く閉曲線の形状であって、キャラクター、動物、模型、飛行機、電車の図形の閉曲線であることを特徴とする請求項１〜３の何れかに記載されたレターセット１００が開示されている。
○第４の発明の効果
第４の発明によれば、
輪郭線ＯＬの形状が、長方形を除く閉曲線の形状であって、キャラクター、動物、模型、飛行機、電車の図形の閉曲線であることという特徴的な構成要件により、本発明が解決しようとする第１課題〜第４課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のレターセット１００において、
点Ｐ１は表面Ｆ１の表側の面の輪郭線ＯＬ近傍に位置し、点Ｐ２は表面Ｆ１の重心Ｏ近傍に位置すると共に、点Ｐ１と点Ｐ２を両端とする封筒スリットＳＬＴが表面Ｆ１を貫通するように設けてなり、
一方、点Ｐ１’は便箋９２の表面の輪郭線ＯＬ’上に位置し、点Ｐ２’は便箋９２の表面の重心Ｏ’近傍に位置すると共に、点Ｐ１’と点Ｐ２’を両端とする便箋スリットＳＬＴ’が便箋９２を貫通するように設けてなると共にせん便箋スリットＳＬＴ’の点Ｐ２’側が大気に通じていることを特徴とする請求項１〜４の何れかに記載されたレターセット１００が開示されている。
○第５の発明の効果
第５の発明によれば、
点Ｐ１は表面Ｆ１の表側の面の輪郭線ＯＬ近傍に位置し、点Ｐ２は表面Ｆ１の重心Ｏ近傍に位置すると共に、点Ｐ１と点Ｐ２を両端とする封筒スリットＳＬＴが表面Ｆ１を貫通するように設けてなり、
一方、点Ｐ１’は便箋９２の表面の輪郭線ＯＬ’上に位置し、点Ｐ２’は便箋９２の表面の重心Ｏ’近傍に位置すると共に、点Ｐ１’と点Ｐ２’を両端とする便箋スリットＳＬＴ’が便箋９２を貫通するように設けてなると共にせん便箋スリットＳＬＴ’の点Ｐ２’側が大気に通じていることという特徴的な構成要件により、本発明が解決しようとする第１課題〜第４課題を達成することができ、当業者予測不可能な顕著な効果を奏することができた。
６６６６６＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のレターセット１００において、
便箋９２を封筒９１に封入した後、封筒９１の封筒スリットＳＬＴの封をするシール９３とから構成されることを特徴とする請求項１〜５の何れかに記載されたレターセット１００が開示されている。
○第６の発明の効果
第６の発明によれば、
便箋９２を封筒９１に封入した後、封筒９１の封筒スリットＳＬＴの封をするシール９３とから構成されることという特徴的な構成要件により、本発明が解決しようとする第１課題〜第４課題を達成することができ、当業者予測不可能な顕著な効果を奏することができた。
７７７７７＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のレターセット１００において、
封筒９１から便箋９２を開封する際に裏面Ｆ２の下側から指で押して便箋９２を取り出すために利用される、１又は２以上の開封スリットｓｌｔＴを、封筒スリットＳＬＴの下側の裏面Ｆ２の位置に裏面Ｆ２を貫通するように設けてなることを特徴とする請求項１〜６の何れかに記載されたレターセット１００が開示されている。
○第７の発明の効果
第７の発明によれば、
封筒９１から便箋９２を開封する際に裏面Ｆ２の下側から指で押して便箋９２を取り出すために利用される、１又は２以上の開封スリットｓｌｔを、封筒スリットＳＬＴの下側の裏面Ｆ２の位置に裏面Ｆ２を貫通するように設けてなることという特徴的な構成要件により、本発明が解決しようとする第１課題〜第４課題を達成することができ、当業者予測不可能な顕著な効果を奏することができた。
８８８８８＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のレターセット１００において、
表面Ｆ１と裏面Ｆ２とからなり表面Ｆ１と裏面Ｆ２が合同である封筒９１と、表面Ｆ１と裏面Ｆ２とが相似形であり、大きさが表面Ｆ１と裏面Ｆ２よりもやや小さい便箋９２とから構成されるレターセット１００において、表面Ｆ１と裏面Ｆ２の輪郭線ＯＬの形状がハート形の形状の閉曲線であって、表面Ｆ１と裏面Ｆ２とが輪郭線部ＯＬＡで接合されてなり、
点Ｐ１は表面Ｆ１の表側面の輪郭線ＯＬ近傍に位置し、点Ｐ２は表面Ｆ１の凹み点Ｏ近傍に位置すると共に、点Ｐ１と点Ｐ２を両端とする封筒スリットＳＬＴが点Ｐ１から点Ｐ２まで輪郭線ＯＬに沿って表面Ｆ１を貫通するように設けてなり、
一方、便箋９２の表面の輪郭線ＯＬ’の形状がハート形の形状の閉曲線であり、点Ｐ２’は便箋９２の凹み点Ｏ’近傍に位置してなり、
便箋９２を封筒９１に封入するに際しては、便箋９２の点Ｐ２’を封筒９１の表面Ｆ１の点Ｐ２と交差したまま便箋９２を回転させながら、便箋９２を封筒スリットＳＬＴから封筒９１に封入することを特徴とするレターセット１００が開示されている。
○第８の発明の効果
第８の発明によれば、
表面Ｆ１と裏面Ｆ２とからなり表面Ｆ１と裏面Ｆ２が合同である封筒９１と、表面Ｆ１と裏面Ｆ２とが相似形であり、大きさが表面Ｆ１と裏面Ｆ２よりもやや小さい便箋９２とから構成されるレターセット１００において、表面Ｆ１と裏面Ｆ２の輪郭線ＯＬの形状がハート形の形状の閉曲線であって、表面Ｆ１と裏面Ｆ２とが輪郭線部ＯＬＡで接合されてなり、
点Ｐ１は表面Ｆ１の表側面の輪郭線ＯＬ近傍に位置し、点Ｐ２は表面Ｆ１の凹み点Ｏ近傍に位置すると共に、点Ｐ１と点Ｐ２を両端とする封筒スリットＳＬＴが点Ｐ１から点Ｐ２まで輪郭線ＯＬに沿って表面Ｆ１を貫通するように設けてなり、
一方、便箋９２の表面の輪郭線ＯＬ’の形状がハート形の形状の閉曲線であり、点Ｐ２’は便箋９２の凹み点Ｏ’近傍に位置してなり、
便箋９２を封筒９１に封入するに際しては、便箋９２の点Ｐ２’を封筒９１の表面Ｆ１の点Ｐ２と交差したまま便箋９２を回転させながら、便箋９２を封筒スリットＳＬＴから封筒９１に封入することという特徴的な構成要件により、本発明が解決しようとする第１課題〜第４課題を達成することができ、当業者予測不可能な顕著な効果を奏することができた。
９９９９９＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のレターセット１００において、
表面Ｆ１と裏面Ｆ２とが輪郭線部ＯＬＡで接合されてなるとは、表面Ｆ１と裏面Ｆ２とが輪郭線部ＯＬＡで張り合わせてなることを特徴とする請求項８に記載されたレターセット１００が開示されている。
○第９の発明の効果
第９の発明によれば、
表面Ｆ１と裏面Ｆ２とが輪郭線部ＯＬＡで接合されてなるとは、表面Ｆ１と裏面Ｆ２とが輪郭線部ＯＬＡで張り合わせてなることという特徴的な構成要件により、本発明が解決しようとする第１課題〜第４課題を達成することができ、当業者予測不可能な顕著な効果を奏することができた。
１０１０１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のレターセット１００において、
便箋９２を封筒９１に封入した後、封筒９１の封筒スリットＳＬＴの封をするシール９３とから構成されることを特徴とする請求項８〜９の何れかに記載されたレターセット１００が開示されている。
○第１０の発明の効果
第１０の発明によれば、
便箋９２を封筒９１に封入した後、封筒９１の封筒スリットＳＬＴの封をするシール９３とから構成されることという特徴的な構成要件により、本発明が解決しようとする第１課題〜第４課題を達成することができ、当業者予測不可能な顕著な効果を奏することができた。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のレターセット１００において、
封筒９１から便箋９２を開封する際に裏面Ｆ２の下側から指で押して便箋９２を取り出すために利用される、１又は２以上の開封スリットｓｌｔを、封筒スリットＳＬＴの下側の裏面Ｆ２の位置に裏面Ｆ２を貫通するように設けてなることを特徴とする請求項８〜１０の何れかに記載されたレターセット１００が開示されている。
○第１１の発明の効果
第１１の発明によれば、
封筒９１から便箋９２を開封する際に裏面Ｆ２の下側から指で押して便箋９２を取り出すために利用される、１又は２以上の開封スリットｓｌｔを、封筒スリットＳＬＴの下側の裏面Ｆ２の位置に裏面Ｆ２を貫通するように設けてなることという特徴的な構成要件により、本発明が解決しようとする第１課題〜第４課題を達成することができ、当業者予測不可能な顕著な効果を奏することができた。
１２１２１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のレターセット１００において、
表面Ｆ１と裏面Ｆ２とからなり表面Ｆ１と裏面Ｆ２が合同である封筒９１と、表面Ｆ１と裏面Ｆ２よりもやや外形がやや小さく、表面Ｆ１と裏面Ｆ２の間に収納可能である便箋９２とから構成されるレターセット１００において、表面Ｆ１と裏面Ｆ２の輪郭線ＯＬの形状が円形の形状の閉曲線であって、表面Ｆ１と裏面Ｆ２とが輪郭線部ＯＬＡで接合されてなり、
点Ｐ１は表面Ｆ１の表側の面の輪郭線ＯＬ近傍に位置し、点Ｐ２は表面Ｆ１の重心Ｏ近傍、あるいは、表面Ｆ１の重心Ｏの外側寄りに位置すると共に、点Ｐ１と点Ｐ２を両端とする封筒スリットＳＬＴが表面Ｆ１を貫通するように設けてなり、
一方、便箋９２の表面の輪郭線ＯＬ’の形状が螺旋形の形状の閉曲線であり、
便箋９２を封筒９１に封入するに際しては、便箋９２の螺旋先端部Ｐ１’を封筒スリットＳＬＴに挿入したまま便箋９２を回転させながら、便箋９２を封筒スリットＳＬＴから封筒９１に封入することを特徴とするレターセット１００が開示されている。
○第１２の発明の効果
第１２の発明によれば、
表面Ｆ１と裏面Ｆ２とからなり表面Ｆ１と裏面Ｆ２が合同である封筒９１と、表面Ｆ１と裏面Ｆ２よりもやや外形がやや小さく、表面Ｆ１と裏面Ｆ２の間に収納可能である便箋９２とから構成されるレターセット１００において、表面Ｆ１と裏面Ｆ２の輪郭線ＯＬの形状が円形の形状の閉曲線であって、表面Ｆ１と裏面Ｆ２とが輪郭線部ＯＬＡで接合されてなり、
点Ｐ１は表面Ｆ１の表側の面の輪郭線ＯＬ近傍に位置し、点Ｐ２は表面Ｆ１の重心Ｏ近傍、あるいは、表面Ｆ１の重心Ｏの外側寄りに位置すると共に、点Ｐ１と点Ｐ２を両端とする封筒スリットＳＬＴが表面Ｆ１を貫通するように設けてなり、
一方、便箋９２の表面の輪郭線ＯＬ’の形状が螺旋形の形状の閉曲線であり、
便箋９２を封筒９１に封入するに際しては、便箋９２の螺旋先端部Ｐ１’を封筒スリットＳＬＴに挿入したまま便箋９２を回転させながら、便箋９２を封筒スリットＳＬＴから封筒９１に封入することという特徴的な構成要件により、本発明が解決しようとする第１課題〜第４課題を達成することができ、当業者予測不可能な顕著な効果を奏することができた。
１３１３１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のレターセット１００において、
表面Ｆ１と裏面Ｆ２とが輪郭線部ＯＬＡで接合されてなるとは、表面Ｆ１と裏面Ｆ２とが輪郭線部ＯＬＡで張り合わせてなることを特徴とする請求項１２に記載されたレターセット１００が開示されている。
○第１３の発明の効果
第１３の発明によれば、
表面Ｆ１と裏面Ｆ２とが輪郭線部ＯＬＡで接合されてなるとは、表面Ｆ１と裏面Ｆ２とが輪郭線部ＯＬＡで張り合わせてなることという特徴的な構成要件により、本発明が解決しようとする第１課題〜第４課題を達成することができ、当業者予測不可能な顕著な効果を奏することができた。
１４１４１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のレターセット１００において、
便箋９２を封筒９１に封入した後、封筒９１の封筒スリットＳＬＴの封をするシール９３とから構成されることを特徴とする請求項１２〜１３の何れかに記載されたレターセット１００が開示されている。
○第１４の発明の効果
第１４の発明によれば、
便箋９２を封筒９１に封入した後、封筒９１の封筒スリットＳＬＴの封をするシール９３とから構成されることという特徴的な構成要件により、本発明が解決しようとする第１課題〜第４課題を達成することができ、当業者予測不可能な顕著な効果を奏することができた。
１５１５１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のレターセット１００において、
封筒９１から便箋９２を開封する際に裏面Ｆ２の下側から指で押して便箋９２を取り出すために利用される、１又は２以上の開封スリットｓｌｔを、封筒スリットＳＬＴの下側の裏面Ｆ２の位置に裏面Ｆ２を貫通するように設けてなることを特徴とする請求項１２〜１４の何れかに記載されたレターセット１００が開示されている。
○第１５の発明の効果
第１５の発明によれば、
封筒９１から便箋９２を開封する際に裏面Ｆ２の下側から指で押して便箋９２を取り出すために利用される、１又は２以上の開封スリットｓｌｔを、封筒スリットＳＬＴの下側の裏面Ｆ２の位置に裏面Ｆ２を貫通するように設けてなることという特徴的な構成要件により、本発明が解決しようとする第１課題〜第４課題を達成することができ、当業者予測不可能な顕著な効果を奏することができた。
【図面の簡単な説明】
【０００９】
図１〜図７、図１８は、本発明に係る、輪郭線ＯＬの形状が円形の閉曲線であるレターセット１００（単に、「円形のレターセット」ともいう。）を表した図面である。
図８〜図１４は、本発明に係る、輪郭線ＯＬの形状が円形の閉曲線であるレターセット（請求項５に記載のレターセットを表す。単に、「請求項５に記載のレターセット」ともいう。）を表した図面である。
図１５〜図１６は、本発明に係る、輪郭線ＯＬの形状がキャラクター（ミッキーマウス）の図形の閉曲線であるレターセットを表した図面である。
図１７は、輪郭線ＯＬの形状がキャラクター（熊）の図形、ハート形の図形、星形の図形の閉曲線であるレターセットを表した図面である。
各図については、以下の通り説明する。
【図１】図１は、本発明に係る円形のレターセットを表した平面図である。
【図２】図２は、本発明に係る円形のレターセットを表した底面図である。
【図３】図３は、本発明に係る円形のレターセットを表した左側面図である。本発明に係る円形のレターセットを表した右側面図は、発明に係る円形のレターセットを表した左側面図と対称に表れるので省略する。
【図４】図４は、本発明に係る円形のレターセットを表した正面図である。本発明に係る円形のレターセットを表した背面図は、発明に係る円形のレターセットを表した正面図と対称に表れるので省略する。
【図５】図５は、本発明に係る円形のレターセットを表した斜視図である。
【図６】図６の上図は、本発明に係る円形のレターセットの封筒９１を表した平面図である。図６の下図は、本発明に係る円形のレターセットの便箋９２を表した平面図である。矢印は、便箋９２を封筒に挿入する方向を表す。山折り線で便箋９２を山折りして、封筒スリットＳＬＴから紙面視便箋の上端を挿入する。
【図７】図７は、本発明に係る円形のレターセットにおいて、便箋９２を封筒９１に挿入し終えた後に、シール９３により封をした状態を表した平面図である。
【図８】図８は、請求項５に記載のレターセットを表した平面図である。
【図９】図９は、請求項５に記載のレターセットを表した底面図である。
【図１０】図１０は、請求項５に記載のレターセットを表した左側面図である。請求項５に記載のレターセットを表した右側面図は、請求項５に記載のレターセットを表した左側面図と対称に表れるので省略する。
【図１１】図１１は、請求項５に記載のレターセットを表した正面図である。請求項５に記載のレターセットを表した背面図は、請求項５に記載のレターセットと対称に表れるので省略する。
【図１２】図１２は、請求項５に記載のレターセットを表した斜視図である。
【図１３】図１３の左上図は、請求項５に記載のレターセットの封筒９１を表した平面図である。図１３の左下図は、本請求項５に記載のレターセットの便箋９２を表した平面図である。矢印は、便箋９２を封筒に挿入する方向を表す。便箋９２の便箋スリットＳＬＴ’を封筒９１の封筒スリットＳＬＴに近づけて重ねる。そして、紙面視便箋スリットＳＬＴ’の下側の便箋部分を回転させながら、封筒９１に挿入する。紙面視便箋スリットＳＬＴ’の下側の便箋部分を回転させながら、封筒９１に完全に挿入し終えるまで続ける。図１３の右上図は、紙面視便箋スリットＳＬＴ’の下側の便箋部分を１３５°程度回転させて、封筒９１に挿入した状態を示す図である。
【図１４】図１４は、請求項５に記載のレターセットにおいて、便箋９２を封筒９１に挿入し終えた後に、シール９３により封をした状態を表した平面図である。
【図１５】図１５の上図は、本発明に係る、輪郭線ＯＬの形状がキャラクター（ミッキーマウス）の図形の閉曲線であるレターセットの封筒９１を表した平面図である。図１５の下図は、本発明に係る、輪郭線ＯＬの形状がキャラクター（ミッキーマウス）の図形の閉曲線であるレターセットの便箋９２を表した平面図である。矢印は、便箋９２を封筒に挿入する方向を表す。山折り線で便箋９２を山折りして、封筒スリットＳＬＴから紙面視便箋の上端を挿入する。
【図１６】図１６は、本発明に係る、輪郭線ＯＬの形状がキャラクター（ミッキーマウス）の図形の閉曲線であるレターセットを表した台紙の平面図である。台紙の表面Ｆ１と裏面Ｆ２を張り合わせて封筒９１を作製する。
【図１７】図１７は、輪郭線ＯＬの形状がキャラクター（熊）の図形の閉曲線であるレターセット、ハート形の図形の閉曲線を表した平面図である。
【図１８】図１８は、本発明に係る、輪郭線ＯＬの形状が円形の閉曲線であるレターセット１００の作業フローを表す図である。（１）図は、便箋９２にメッセージを書く作業フローを表す図である。（２）図は、封筒９１の封筒スリットＳＬＴで山折りする作業フローを表す図である。（３）図は、便箋９２を山折り線ＹＬで折り曲げて封筒に挿入する作業フローを表す図である。（４）図は、便箋９２を封筒に挿入し終えた後にシール９３を貼る作業フローを表す図である。（５）図は、便箋９２を封筒から取り出す作業フローを表す図である（封筒９１を曲げながら紙面視下から指で米印（開封ＳＬＴ）を押す。）。
【図１９】図１９は、従来の方形封筒と従来型の非方形封筒と本発明に係る非方形封筒における、開口率Ηを説明するための図である。（Ａ）図は、従来の方形封筒の開口率を示す図である。開口率Ηは、以下のように表される。開口率ΗＡ＝Ａ／（２（Ａ＋Ｂ））＜０．５…（Ａ）式（Ｂ）図は、従来型の非方形封筒の開口率を示す図である。開口率ΗＢ＝（Π／２Ｄ）／（ΠＤ）＝０．５…（Ｂ）式（Ｃ）図は、本発明に係る非方形封筒の開口率を示す図である。開口率ΗＣ＝（Ｄ／（ΠＤ）＝１／Π＝０．３１８…（Ｂ）式
【図２０】図２０の左上図は、請求項８〜１２の何れかに記載のレターセットの封筒９１を表した平面図である。図２０の左下図は、請求項８〜１２の何れかに記載のレターセットの便箋９２を表した平面図である。便箋９２の点Ｐ１’を封筒９１の表面Ｆ１の点Ｐ１に近づけて重ねる。そして、紙面視左上の便箋部分を回転させながら、封筒９１の封筒スリットＳＬＴに挿入する。紙面視封筒スリットＳＬＴの中側に挿入した便箋部分を回転させながら、封筒９１に完全に挿入し終えるまで続ける。図２０の右上図は、紙面視左上の便箋部分を回転させて封筒９１に挿入した途中の状態を示す図である。
【図２１】図２１の左上図は、請求項１２〜１５の何れかに記載のレターセットの封筒９１を表した平面図である。図２１の左下図は、本請求項１２〜１５の何れかに記載のレターセットの便箋９２を表した平面図である。便箋９２の螺旋形状の先端部（外側の先端部、又は内側中心部の先端部、図２１では外側の先端部を表示している。）を、封筒９１の表面Ｆ１の封筒スリットＳＬＴに近づけて挿入する。そして、紙面視左の便箋部分を左回りに回転させながら、封筒９１の封筒スリットＳＬＴに挿入する。紙面視封筒スリットＳＬＴから挿入された左回りに便箋部分を回転させながら、封筒９１に完全に挿入し終えるまで続ける。図２１の右上図は、紙面視左上の螺旋形状の便箋部分を回転させて封筒９１に挿入した途中の状態を示す図である。
【図２２】図２２の左上図は、請求項１２〜１５の何れかに記載のレターセットの封筒９１（別態様）を表した平面図である。図２２の左下図は、本請求項１２〜１５の何れかに記載のレターセットの便箋９２（別態様）を表した平面図である。便箋９２の螺旋形状の先端部（外側の先端部、又は内側中心部の先端部、図２２では内側の先端部を表示している。）を、封筒９１の表面Ｆ１の封筒スリットＳＬＴに近づけて挿入する。そして、紙面視左の便箋部分を左回りに回転させながら、封筒９１の封筒スリットＳＬＴに挿入する。紙面視封筒スリットＳＬＴから挿入された左回りに便箋部分を回転させながら、封筒９１に完全に挿入し終えるまで続ける。図２２の右上図は、紙面視左上の螺旋形状の便箋部分を回転させて封筒９１に挿入した途中の状態を示す図である。
【図２３】図２３の（Ａ）図は、図１３図の左下図の点Ｐ１’部分の拡大平面図である。（Ａ）図は、便箋スリットＳＬＴ’の点Ｐ２’側が大気に通じていることを示している。図２３の（Ｂ）図は、図２３の（Ａ）図のＡＡ矢視断面図を表している。（Ｂ）図は、封筒スリットＳＬＴが表面Ｆ１を貫通するように設けてなることを示している。
【符号の説明】
【００１０】
Ｆ１……表面（読み：おもてめん）
Ｆ２……裏面（読み：うらめん）
９１……封筒
ＳＬＴ……封筒スリット
１００……レターセット
ＯＬ……輪郭線
ＯＬＡ……輪郭線部
Ｐ１……点Ｐ１
Ｏ……重心
Ｏ……凹み点（請求項８〜１１の何れかに記載の発明）
Ｐ２……点Ｐ２
Ｐ１’……点Ｐ１’
Ｏ’……重心Ｏ’
Ｐ２’……点Ｐ２’
９２……便箋
ＯＬ’……輪郭線
ＳＬＴ’……便箋スリット
９３……シール
ｓｌｔ……開封スリット
Ｈ……穴
Ｍ……ミシン目
ＹＬ……山折り線
ＦＬＰ……フラップ
【手続補正３】
【補正対象書類名】図面
【補正対象項目名】図２３
【補正方法】変更
【補正の内容】
【図２３】
2020019499.tif 000026